(57)【要約】【課題】第１演出体の駆動手段により第２演出体を移動させる構造を簡素な構成で実現でき、かつ第２演出体の動作により遊技興趣を向上できる遊技機を提供する。【解決手段】動作可能に設けられた第１演出体４００と、第１演出体４００が動作するための駆動力を出力可能な駆動手段４１１と、第１演出体４００が動作することによって第１演出体４００と当接可能な位置に設けられた第２演出体５００と、を備え、第２演出体５００は、第１演出体４００の動作中において第１演出体４００と当接されることにより第１演出体４００と連動して動作する連動動作部５１０，５２０，５３０，５４０を有する。【選択図】図１５
2018064814.tif 000002
【特許請求の範囲】
【請求項１】
遊技が可能な遊技機であって、
動作可能に設けられた第１演出体と、
前記第１演出体が動作するための駆動力を出力可能な駆動手段と、
前記第１演出体が動作することによって該第１演出体と当接可能な位置に設けられた第２演出体と、
を備え、
前記第２演出体は、前記第１演出体の動作中において該第１演出体と当接されることにより前記第１演出体と連動して動作する連動動作部を有する、
ことを特徴とする遊技機。
【請求項２】
前記第１演出体の少なくとも一部を隠蔽可能な隠蔽部を備え、
前記第１演出体は、少なくとも動作するときに前記隠蔽部から露出する部分の幅寸法よりも大きな幅寸法を有する当接部を有し、該当接部が前記連動動作部に当接可能である、
ことを特徴とする請求項１に記載の遊技機。
【請求項３】
前記連動動作部に前記第１演出体が当接して前記第２演出体が動作されるときに、該第２演出体の動作方向を案内する案内手段を備える、
ことを特徴とする請求項１または請求項２に記載の遊技機。
【発明の詳細な説明】
【技術分野】
【０００１】
本発明は、遊技が可能な遊技機に関する。
【背景技術】
【０００２】
従来、電動モータを用いてベース動作発生機構を介して第１役物部材を動作させるとともに、この電動モータを用いてリンク機構を介して第２役物部材を動作させるようにした遊技機がある（例えば、特許文献１参照）。
【先行技術文献】
【特許文献】
【０００３】
【特許文献１】特開２０１２−２３９８２２号公報
【発明の概要】
【発明が解決しようとする課題】
【０００４】
しかしながら、特許文献１にあっては、第１役物部材（第１演出体）を動作させる電動モータ（駆動手段）を用いて第２役物部材（第２演出体）を動作させることができるが、リンク機構を介して電動モータの駆動力を伝えなければならず、構造が複雑化してしまって故障が生じやすくなるばかりか、第１役物部材と第２役物部材とが一体的な部材であるため、これら役物部材の動作による演出が単調になってしまい、遊技興趣を向上できないという問題がある。
【０００５】
本発明は、このような問題点に着目してなされたもので、第１演出体の駆動手段により第２演出体を移動させる構造を簡素な構成で実現でき、かつ第２演出体の動作により遊技興趣を向上できる遊技機を提供することを目的とする。
【課題を解決するための手段】
【０００６】
前記課題を解決するために、本発明の請求項１に記載の遊技機は、
遊技が可能な遊技機（例えば、パチンコ遊技機１）であって、
動作可能に設けられた第１演出体（例えば、第１演出体４００）と、
前記第１演出体が動作するための駆動力を出力可能な駆動手段（例えば、垂直移動用モータ４１１）と、
前記第１演出体が動作することによって該第１演出体と当接可能な位置に設けられた第２演出体（例えば、第２演出体５００）と、
を備え、
前記第２演出体は、前記第１演出体の動作中において該第１演出体と当接されることにより前記第１演出体と連動して動作する連動動作部（例えば、第１移動体５１０、第２移動体５２０、第３移動体５３０及び第４移動体５４０）を有する、
ことを特徴としている。
この特徴によれば、第１演出体の駆動手段により第２演出体を動作させる構造を簡素な構成で実現でき、かつ第１演出体が第２演出体の連動動作部に当接して第２演出体が動作されるので、第２演出体の動作により遊技興趣を向上できる。
【０００７】
本発明の請求項２に記載の遊技機は、請求項１に記載の遊技機であって、
前記第１演出体の少なくとも一部を隠蔽可能な隠蔽部（例えば、センター飾り枠５１）を備え、
前記第１演出体は、少なくとも動作するときに前記隠蔽部から露出する部分（例えば、回転体４０３のほぼ半分の部位）の幅寸法（例えば、回転体４０３の直径Ｌ１）よりも大きな幅寸法を有する当接部（例えば、左右幅寸法Ｌ２に形成された当接部４０５及び左右幅寸法Ｌ３に形成された当接部４０６）を有し、該当接部が前記連動動作部に当接可能である（例えば、当接部４０５が被当接部５１２ｇ，５３２ｊに当接し、当接部４０６が被当接部５２２ｇ，５４２ｊに当接する部分）、
ことを特徴としている。
この特徴によれば、当接部が隠蔽部に隠蔽されるので、当接部が演出効果を妨げることなく、かつ第１演出体が大きな幅寸法を有する当接部で第２演出体の連動動作部と当接できるので、第２演出体を安定して動作させることができる。
【０００８】
本発明の請求項３に記載の遊技機は、請求項１または請求項２に記載の遊技機であって、
前記連動動作部に前記第１演出体が当接して前記第２演出体が動作されるときに、該第２演出体の動作方向を案内する案内手段（例えば、第１可動板５１２及び第２可動板５２２がガイド棒５１２ｃ，５２２ｃにより上下方向に移動可能に案内される部分、及び第３可動板５３２及び第４可動板５４２がガイド棒５３１ｃ，５４１ｃにより上下方向に移動可能に案内される部分）を備える、
ことを特徴としている。
この特徴によれば、案内手段により第２演出体を安定して動作方向に案内することができる。
【０００９】
本発明の手段１の遊技機は、請求項１〜請求項３のいずれかに記載の遊技機であって、
前記連動動作部は、前記第１演出体の少なくとも一部が嵌合する形状をなす（例えば、各移動体５１０，５２０，５３０，５４０は、その下端縁から前方に突出された被当接部５１２ｇ，５２２ｇ，５３２ｊ，５４２ｊと、その下端縁から下方に突出された被当接部５１２ｈ，５２２ｈ，５３２ｋ，５４２ｋとで、側面視で略Ｌ字形状をなすように形成されている部分）、
ことを特徴としている。
この特徴によれば、第１演出体から駆動力を安定して第２演出体に与えることができる。
【００１０】
本発明の手段２の遊技機は、請求項１〜請求項３、手段１のいずれかに記載の遊技機であって、
前記第１演出体は、前記第２演出体が該第１演出体から離間した位置から近接した位置に移動した後に、前記連動動作部に当接する（例えば、各移動体５１０，５２０，５３０，５４０が第２退避位置から第１演出体４００の上方位置である第２進出位置に移動した後に第１演出体４００が上昇し、第１演出体４００の当接部４０５，４０６の背面が被当接部５１２ｇ，５２２ｇ，５３２ｊ，５４２ｊの下面に当接する部分）、
ことを特徴としている。
この特徴によれば、第２演出体が第１演出体に近接した位置に移動されることと、第１演出体により第２演出体が動作されることの組合せにより、第２演出体を用いた演出を実行できるので、遊技興趣を向上できる。
【００１１】
本発明の手段３の遊技機は、請求項１〜請求項３、手段１、手段２のいずれかに記載の遊技機であって、
前記第１演出体は、前記第２演出体を連動して動作させる第１動作（例えば、第１演出体４００が第１退避位置から第１進出位置に向けて上昇する動作）を行うとともに該第１動作と異なる第２動作（例えば、回転体４０３が回転する動作）が可能である、
ことを特徴としている。
この特徴によれば、第１動作と第２動作との組合せにより、第１演出体及び第２演出体を用いた演出を実行できるので、遊技興趣を向上できる。
【００１２】
尚、本発明は、本発明の請求項に記載された発明特定事項のみを有するものであって良いし、本発明の請求項に記載された発明特定事項とともに該発明特定事項以外の構成を有するものであっても良い。
【図面の簡単な説明】
【００１３】
【図１】実施例におけるパチンコ遊技機を示す正面図である。
【図２】パチンコ遊技機の回路構成例を示すブロック図である。
【図３】第１演出体が第１退避位置に配置され、第２演出体が第２退避位置に配置された状態の演出ユニットを示す正面斜視図である。
【図４】第２演出体が第２進出位置に配置された状態の演出ユニットを示す正面斜視図である。
【図５】第１演出体が第１進出位置に配置された状状態の演出ユニットを示す正面斜視図である。
【図６】第１演出体を示す正面図である。
【図７】第１演出体を示す背面図である。
【図８】駆動部を示す分解斜視図である。
【図９】（Ａ）は、第２演出体が第２退避位置に配置されている状態を示す平面概略図であり、（Ｂ）は、第２演出体が第２退避位置から第２進出位置へ移動する途上を示す平面概略図であり、（Ｃ）は、第２演出体が第２進出位置に配置されている状態を示す平面概略図である。
【図１０】（Ａ）は、第２演出体における第１移動体及び第２移動体を示す正面斜視図であり、（Ｂ）は、第２演出体における第１移動体及び第２移動体を示す背面斜視図である。
【図１１】（Ａ）は、第２演出体における第３移動体及び第４移動体を示す正面斜視図であり、（Ｂ）は、第２演出体における第３移動体及び第４移動体を示す背面斜視図である。
【図１２】（Ａ）は、第２演出体が第２退避位置に配置されている場合の駆動部の状態を示す平面概略図であり、（Ｂ）は、第２演出体が第２進出位置に配置されている場合の駆動部の状態を示す平面概略図である。
【図１３】（Ａ）は、第２演出体が第２退避位置に配置されている場合の駆動部の状態を示す平面概略図であり、（Ｂ）は、第２演出体が第２進出位置に配置されている場合の駆動部の状態を示す平面概略図である。
【図１４】（Ａ）は、第１演出体が第１退避位置に配置されおり、第２演出体が第２退避位置に配置されている演出ユニットを示す正面概略図であり、（Ｂ）は、第１演出体が第１退避位置に配置されおり、第２演出体が第２進出位置に配置されている演出ユニットを示す正面概略図である。
【図１５】（Ａ）は、第１演出体が第２進出位置に配置されている第２演出体に当接する演出ユニットを示す正面概略図であり、（Ｂ）は、第１演出体が第１進出位置に配置されたことで、第２演出体を第２進出位置から上昇させた演出ユニットを示す正面概略図である。
【図１６】（Ａ）は、第１演出体と第２進出位置に配置されている第２演出体とが前後方向で接触する状態を示す要部斜視図であり、（Ｂ）は、要部拡大平面図である。
【図１７】（Ａ）は、第１演出体と第２進出位置に配置されている第２演出体とが前後方向で接触する状態を示す要部斜視図であり、（Ｂ）は、要部拡大平面図である。
【図１８】第２演出体が第２進出位置に配置された状態の演出ユニットを示す正面図である。
【図１９】図１８におけるＡ−Ａ断面図である。
【図２０】（Ａ）は、図１８におけるＢ−Ｂ断面図であり、（Ｂ）は、図１８におけるＣ−Ｃ断面図である。
【発明を実施するための形態】
【００１４】
本発明に係る遊技機を実施するための形態を実施例にもとづいて以下に説明する。
【実施例】
【００１５】
まず、遊技機の一例であるパチンコ遊技機１の全体の構成について説明する。尚、以下の説明において、図１の手前側をパチンコ遊技機１の前方（前面、正面）側、奥側を後方（背面）側として説明する。尚、本実施例におけるパチンコ遊技機１の前面とは、遊技者側からパチンコ遊技機１を見たときに該遊技者と対向する対向面である。
【００１６】
図１は、本実施例におけるパチンコ遊技機１の正面図であり、主要部材の配置レイアウトを示す。パチンコ遊技機１（以下、遊技機と略記する場合がある）は、大別して、遊技盤面を構成する遊技盤２（ゲージ盤）と、遊技盤２を支持固定する遊技機用枠３（台枠）とから構成されている。遊技盤２には、ガイドレールによって囲まれた、ほぼ円形状の遊技領域が形成されている。この遊技領域には、遊技媒体としての遊技球が、所定の打球発射装置から発射されて打ち込まれる。尚、本実施例における遊技盤２はベニヤ板等の非透光性部材にて構成されているが、本発明はこれに限定されるものではなく、遊技盤２はアクリル板等の透光性部材にて構成されていても良い。
【００１７】
遊技盤２の所定位置（図１に示す例では、遊技領域の右側方）には、第１特別図柄表示器４Ａと、第２特別図柄表示器４Ｂとが設けられている。第１特別図柄表示器４Ａと第２特別図柄表示器４Ｂはそれぞれ、例えば７セグメントやドットマトリクスのＬＥＤ（発光ダイオード）等から構成され、変動表示ゲームの一例となる特図ゲームにおいて、各々を識別可能な複数種類の識別情報（特別識別情報）である特別図柄（「特図」ともいう）が、変動可能に表示（変動表示または可変表示ともいう）される。例えば、第１特別図柄表示器４Ａと第２特別図柄表示器４Ｂはそれぞれ、「０」〜「９」を示す数字や「−」を示す記号等から構成される複数種類の特別図柄を変動表示する。
【００１８】
以下では、第１特別図柄表示器４Ａにおいて変動表示される特別図柄を「第１特図」ともいい、第２特別図柄表示器４Ｂにおいて変動表示される特別図柄を「第２特図」ともいう。
【００１９】
遊技盤２における遊技領域の中央付近には、演出表示装置５が設けられている。演出表示装置５は、例えばＬＣＤ（液晶表示装置）等から構成され、各種の演出画像を表示する表示領域を形成している。演出表示装置５の表示領域では、特図ゲームにおける第１特別図柄表示器４Ａによる第１特図の変動表示や第２特別図柄表示器４Ｂによる第２特図の変動表示のそれぞれに対応して、例えば３つといった複数の変動表示部となる演出図柄表示エリアにて、各々を識別可能な複数種類の識別情報（装飾識別情報）である演出図柄が変動表示される。この演出図柄の変動表示も、変動表示ゲームに含まれる。
【００２０】
一例として、演出表示装置５の表示領域には、「左」、「中」、「右」の演出図柄表示エリア５Ｌ，５Ｃ，５Ｒが配置されている。そして、特図ゲームにおいて第１特別図柄表示器４Ａにおける第１特図の変動と第２特別図柄表示器４Ｂにおける第２特図の変動のうち、いずれかが開始されることに対応して、「左」、「中」、「右」の各演出図柄表示エリア５Ｌ，５Ｃ，５Ｒにおいて演出図柄（飾り図柄ともいう）の変動（例えば上下方向のスクロール表示）が開始される。その後、特図ゲームにおける変動表示結果として確定特別図柄が停止表示されるときに、演出表示装置５における「左」、「中」、「右」の各演出図柄表示エリア５Ｌ，５Ｃ，５Ｒにて、演出図柄の変動表示結果となる確定演出図柄（最終停止図柄）が停止表示される。
【００２１】
このように、演出表示装置５の表示領域では、第１特別図柄表示器４Ａにおける第１特図を用いた特図ゲーム、または、第２特別図柄表示器４Ｂにおける第２特図を用いた特図ゲームと同期して、各々が識別可能な複数種類の演出図柄の変動表示を行い、変動表示結果となる確定演出図柄を導出表示（あるいは単に「導出」ともいう）する。尚、例えば特別図柄や演出図柄といった、各種の表示図柄を導出表示するとは、演出図柄等の識別情報を停止表示（完全停止表示や最終停止表示ともいう）して変動表示を終了させることである。
【００２２】
「左」、「中」、「右」の各演出図柄表示エリア５Ｌ，５Ｃ，５Ｒにて変動表示される演出図柄には、例えば８種類の図柄（英数字「１」〜「８」あるいは漢数字や、英文字、所定のモチーフに関連する８個のキャラクタ画像、数字や文字あるいは記号とキャラクタ画像との組合せなどであればよく、キャラクタ画像は、例えば人物や動物、これら以外の物体、もしくは、文字などの記号、あるいは、その他の任意の図形を示す飾り画像であればよい）で構成される。演出図柄のそれぞれには、対応する図柄番号が付されている。例えば、「１」〜「８」を示す英数字それぞれに対して、「１」〜「８」の図柄番号が付されている。尚、演出図柄は８種類に限定されず、「大当り」となる組合せや「はずれ」となる組合せなど適当な数の組合せを構成可能であれば、何種類であってもよい（例えば７種類や９種類など）。
【００２３】
演出表示装置５の表示領域の下部の左右２箇所には、第１保留記憶表示エリア５Ｄ、第２保留記憶表示エリア５Ｕが設定されている。第１保留記憶表示エリア５Ｄ、第２保留記憶表示エリア５Ｕでは、特図ゲームに対応した変動表示の保留記憶数（特図保留記憶数）を特定可能に表示する保留記憶表示が行われる。
【００２４】
ここで、特図ゲームに対応した変動表示の保留は、普通入賞球装置６Ａが形成する第１始動入賞口や、普通可変入賞球装置６Ｂが形成する第２始動入賞口を、遊技球が通過（進入）することによる始動入賞にもとづいて発生する。即ち、特図ゲームや演出図柄の変動表示といった変動表示ゲームを実行するための始動条件（「実行条件」ともいう）は成立したが、先に成立した開始条件にもとづく変動表示ゲームが実行中であることやパチンコ遊技機１が大当り遊技状態に制御されていることなどにより、変動表示ゲームの開始を許容する開始条件が成立していないときに、成立した始動条件に対応する変動表示の保留が第１保留記憶表示エリア５Ｄや第２保留記憶表示エリア５Ｕにおいて行われる。本実施例では、第１始動入賞口を遊技球が通過（進入）することによる始動入賞にもとづいて発生した保留記憶表示と、第２始動入賞口を遊技球が通過（進入）することによる始動入賞にもとづいて発生した保留記憶表示とを、丸型の白色表示とする。
【００２５】
図１に示す例では、保留記憶表示エリアとともに、第１特別図柄表示器４Ａ及び第２特別図柄表示器４Ｂの上部と下部に、特図保留記憶数を特定可能に表示するための第１保留表示器２５Ａと第２保留表示器２５Ｂとが設けられている。第１保留表示器２５Ａは、第１特図保留記憶数を特定可能に表示する。第２保留表示器２５Ｂは、第２特図保留記憶数を特定可能に表示する。
【００２６】
演出表示装置５の下方には、普通入賞球装置６Ａと、普通可変入賞球装置６Ｂとが設けられている。普通入賞球装置６Ａは、例えば所定の玉受部材によって常に一定の開放状態に保たれる始動領域（第１始動領域）としての第１始動入賞口を形成する。普通可変入賞球装置６Ｂは、図２に示す普通電動役物用となるソレノイド８１によって、垂直位置となる通常開放状態と傾動位置となる拡大開放状態とに変化する一対の可動翼片を有する電動チューリップ型役物（普通電動役物）を備え、始動領域（第２始動領域）としての第２始動入賞口を形成する。
【００２７】
一例として、普通可変入賞球装置６Ｂでは、普通電動役物用のソレノイド８１がオフ状態であるときに可動翼片が垂直位置となることにより、遊技球が第２始動入賞口を通過（進入）しがたい通常開放状態となる。その一方で、普通可変入賞球装置６Ｂでは、普通電動役物用のソレノイド８１がオン状態であるときに可動翼片が傾動位置となる傾動制御により、遊技球が第２始動入賞口を通過（進入）しやすい拡大開放状態となる。
【００２８】
普通入賞球装置６Ａに形成された第１始動入賞口を通過（進入）した遊技球は、例えば図２に示す第１始動口スイッチ２２Ａによって検出される。普通可変入賞球装置６Ｂに形成された第２始動入賞口を通過（進入）した遊技球は、例えば図２に示す第２始動口スイッチ２２Ｂによって検出される。第１始動口スイッチ２２Ａによって遊技球が検出されたことにもとづき、所定個数（例えば３個）の遊技球が賞球として払い出され、第１特図保留記憶数が所定の上限値（例えば「４」）未満であれば、第１始動条件が成立する。第２始動口スイッチ２２Ｂによって遊技球が検出されたことにもとづき、所定個数（例えば３個）の遊技球が賞球として払い出され、第２特図保留記憶数が所定の上限値（例えば「４」）未満であれば、第２始動条件が成立する。尚、第１始動口スイッチ２２Ａによって遊技球が検出されたことにもとづいて払い出される賞球の個数と、第２始動口スイッチ２２Ｂによって遊技球が検出されたことにもとづいて払い出される賞球の個数は、互いに同一の個数であってもよいし、異なる個数であってもよい。
【００２９】
普通入賞球装置６Ａと普通可変入賞球装置６Ｂの下方位置には、特別可変入賞球装置７が設けられている。特別可変入賞球装置７は、図２に示す大入賞口扉用となるソレノイド８２によって開閉駆動される大入賞口扉を備え、その大入賞口扉によって開放状態と閉鎖状態とに変化する特定領域としての大入賞口を形成する。
【００３０】
一例として、特別可変入賞球装置７では、大入賞口扉用のソレノイド８２がオフ状態であるときに大入賞口扉が大入賞口を閉鎖状態として、遊技球が大入賞口を通過（進入）できなくする。その一方で、特別可変入賞球装置７では、大入賞口扉用のソレノイド８２がオン状態であるときに大入賞口扉が大入賞口を開放状態として、遊技球が大入賞口を通過（進入）しやすくする。このように、特定領域としての大入賞口は、遊技球が通過（進入）しやすく遊技者にとって有利な開放状態と、遊技球が通過（進入）できず遊技者にとって不利な閉鎖状態とに変化する。尚、遊技球が大入賞口を通過（進入）できない閉鎖状態に代えて、あるいは閉鎖状態の他に、遊技球が大入賞口を通過（進入）し難い一部開放状態を設けてもよい。
【００３１】
大入賞口を通過（進入）した遊技球は、例えば図２に示すカウントスイッチ２３によって検出される。カウントスイッチ２３によって遊技球が検出されたことにもとづき、所定個数（例えば１５個）の遊技球が賞球として払い出される。こうして、特別可変入賞球装置７において開放状態となった大入賞口を遊技球が通過（進入）したときには、例えば第１始動入賞口や第２始動入賞口といった、他の入賞口を遊技球が通過（進入）したときよりも多くの賞球が払い出される。従って、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態となれば、大入賞口に遊技球を通過（進入）させて賞球を得ることが不可能または困難になり、遊技者にとって不利な第２状態となる。
【００３２】
遊技盤２の所定位置（図１に示す例では、遊技領域の左側方）には、普通図柄表示器２０が設けられている。一例として、普通図柄表示器２０は、第１特別図柄表示器４Ａや第２特別図柄表示器４Ｂと同様に７セグメントやドットマトリクスのＬＥＤ等から構成され、特別図柄とは異なる複数種類の識別情報である普通図柄（「普図」あるいは「普通図」ともいう）を変動可能に表示（変動表示）する。このような普通図柄の変動表示は、普図ゲーム（「普通図ゲーム」ともいう）と称される。
【００３３】
普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３４】
遊技盤２の表面には、上記の構成以外にも、遊技球の流下方向や速度を変化させる風車及び多数の障害釘が設けられている。また、第１始動入賞口、第２始動入賞口及び大入賞口とは異なる入賞口として、例えば所定の玉受部材によって常に一定の開放状態に保たれる単一または複数の一般入賞口が設けられてもよい。この場合には、一般入賞口のいずれかに進入した遊技球が所定の一般入賞球スイッチによって検出されたことにもとづき、所定個数（例えば１０個）の遊技球が賞球として払い出されればよい。遊技領域の最下方には、いずれの入賞口にも進入しなかった遊技球が取り込まれるアウト口が設けられている。
【００３５】
遊技機用枠３の左右上部位置には、効果音等を再生出力するためのスピーカ８Ｌ，８Ｒが設けられている。尚、遊技機用枠３の左右下部位置には、スピーカを模した装飾部分が設けられている。更に遊技領域周辺部には、遊技効果ＬＥＤ９が設けられている。パチンコ遊技機１の遊技領域における各構造物（例えば普通入賞球装置６Ａ、普通可変入賞球装置６Ｂ、特別可変入賞球装置７等）の周囲には、装飾用ＬＥＤが配置されていてもよい。遊技機用枠３の右下部位置には、遊技媒体としての遊技球を遊技領域に向けて発射するために遊技者等によって操作される打球操作ハンドル（操作ノブ）が設けられている。例えば、打球操作ハンドルは、遊技者等による操作量（回転量）に応じて遊技球の弾発力を調整する。打球操作ハンドルには、打球発射装置が備える発射モータの駆動を停止させるための単発発射スイッチや、タッチリング（タッチセンサ）が設けられていればよい。
【００３６】
遊技領域の下方における遊技機用枠３の所定位置には、賞球として払い出された遊技球や貸し出しによって払い出された遊技球を、打球発射装置に供給可能に保持（貯留）する打球供給皿が設けられている。
【００３７】
パチンコ遊技機１には、例えば図２に示すような主基板１１、演出制御基板１２、音声制御基板１３、ＬＥＤ制御基板１４といった、各種の制御基板が搭載されている。また、パチンコ遊技機１には、主基板１１と演出制御基板１２との間で伝送される各種の制御信号を中継するための中継基板１５なども搭載されている。その他にも、パチンコ遊技機１における遊技盤２などの背面には、例えば払出制御基板、情報端子基板、発射制御基板、インタフェース基板などといった、各種の基板が配置されている。
【００３８】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示器４Ａと第２特別図柄表示器４Ｂを構成する各ＬＥＤ（例えばセグメントＬＥＤ）などの点灯／消灯制御を行って第１特図や第２特図の変動表示を制御することや、普通図柄表示器２０の点灯／消灯／発色制御などを行って普通図柄表示器２０による普通図柄の変動表示を制御することといった、所定の表示図柄の変動表示を制御する機能も備えている。
【００３９】
主基板１１には、例えば遊技制御用マイクロコンピュータ１００や、遊技球検出用の各種スイッチからの検出信号を取り込んで遊技制御用マイクロコンピュータ１００に伝送するスイッチ回路１１０、遊技制御用マイクロコンピュータ１００からのソレノイド駆動信号をソレノイド８１，８２に伝送するソレノイド回路１１１などが搭載されている。
【００４０】
演出制御基板１２は、主基板１１とは独立したサブ側の制御基板であり、中継基板１５を介して主基板１１から伝送された制御信号を受信して、演出表示装置５、スピーカ８Ｌ，８Ｒ及び遊技効果ＬＥＤ９といった演出用の電気部品による演出動作を制御するための各種回路が搭載されている。即ち、演出制御基板１２は、演出表示装置５における表示動作や、スピーカ８Ｌ，８Ｒからの音声出力動作の全部または一部、遊技効果ＬＥＤ９などにおける点灯／消灯動作の全部または一部といった、演出用の電気部品に所定の演出動作を実行させるための制御内容を決定する機能を備えている。
【００４１】
音声制御基板１３は、演出制御基板１２とは別個に設けられた音声出力制御用の制御基板であり、演出制御基板１２からの指令や制御データなどにもとづき、スピーカ８Ｌ，８Ｒから音声を出力させるための音声信号処理を実行する処理回路などが搭載されている。ＬＥＤ制御基板１４は、演出制御基板１２とは別個に設けられたＬＥＤ出力制御用の制御基板であり、演出制御基板１２からの指令や制御データなどにもとづき、遊技効果ＬＥＤ９などにおける点灯／消灯駆動を行う処理回路などが搭載されている。
【００４２】
図２に示すように、主基板１１には、ゲートスイッチ２１、第１始動口スイッチ２２Ａ、第２始動口スイッチ２２Ｂ、カウントスイッチ２３からの検出信号を伝送する配線が接続されている。尚、ゲートスイッチ２１、第１始動口スイッチ２２Ａ、第２始動口スイッチ２２Ｂ、カウントスイッチ２３は、例えばセンサと称されるものなどのように、遊技媒体としての遊技球を検出できる任意の構成を有するものであればよい。また、主基板１１には、第１特別図柄表示器４Ａ、第２特別図柄表示器４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００４３】
主基板１１から演出制御基板１２に向けて伝送される制御信号は、中継基板１５によって中継される。中継基板１５を介して主基板１１から演出制御基板１２に対して伝送される制御コマンドは、例えば電気信号として送受信される演出制御コマンドである。
【００４４】
主基板１１に搭載された遊技制御用マイクロコンピュータ１００は、例えば１チップのマイクロコンピュータであり、遊技制御用のプログラムや固定データ等を記憶するＲＯＭ１０１（Read Only Memory 101）と、遊技制御用のワークエリアを提供するＲＡＭ１０２（Random Access Memory 102）と、遊技制御用のプログラムを実行して制御動作を行うＣＰＵ１０３（Central Processing Unit 103）と、ＣＰＵ１０３とは独立して乱数値を示す数値データの更新を行う乱数回路１０４と、Ｉ／Ｏ１０５（Input/Outputport 105）とを備えて構成される。
【００４５】
一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作なども行われる。
【００４６】
これら遊技の進行の制御として遊技制御用マイクロコンピュータ１００（ＣＰＵ１０３）は、遊技球が第１始動入賞口や第２始動入賞口に入賞したことにもとづいて、乱数回路１０４から抽出した乱数（大当り判定用乱数）を用いて該始動入賞にもとづく変動表示において大当りとするか否かを決定する抽選を行う処理や、乱数回路１０４から抽出した乱数（変動パターン判定用乱数）を用いて変動パターン（変動表示時間）を複数の変動パターンのうちから決定して該決定した変動パターンを設定する処理を行う。また、大当り遊技状態における特別可変入賞球装置７の大入賞口扉を開閉する処理や、大当り遊技終了後の遊技状態を、遊技状態フラグ等を更新する等によって変動表示時間の短い変動パターンが決定されやすい時短状態や大当りの抽選確率が通常状態よりも高確率（例えば通常状態（低確率状態）の１０倍）となる確変状態とする処理や、時短状態や確変状態とする変動回数を設定（セット）するともに、該セットされた変動回数が実行されたときに時短状態や確変状態を終了する処理等を行う。
【００４７】
図２に示すように、演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、演出表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。
【００４８】
一例として、演出制御基板１２では、演出制御用ＣＰＵ１２０がＲＯＭ１２１から読み出した演出制御用のプログラムを実行することにより、演出用の電気部品による演出動作を制御するための処理が実行される。このときには、演出制御用ＣＰＵ１２０がＲＯＭ１２１から固定データを読み出す固定データ読出動作や、演出制御用ＣＰＵ１２０がＲＡＭ１２２に各種の変動データを書き込んで一時記憶させる変動データ書込動作、演出制御用ＣＰＵ１２０がＲＡＭ１２２に一時記憶されている各種の変動データを読み出す変動データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作なども行われる。
【００４９】
また、本実施例では、遊技盤２には開口２ｃが形成されており、演出表示装置５は該開口２ｃよりも後方側に配置されている。遊技盤２における開口２ｃには枠状のセンター飾り枠５１が設けられている。また、遊技盤２の背面と演出表示装置５との間には、図３に示す演出ユニット２００が設けられている。また、演出制御基板１２には、この演出ユニット２００に設けられる各種モータ、センサ、発光ダイオード（ＬＥＤ）等の複数の電子部品が接続されている。尚、図２において、これら電子部品の図示は省略している。
【００５０】
尚、演出制御基板１２の側においても、主基板１１と同様に、例えば、予告演出等の各種の演出の種別を決定するための乱数値（演出用乱数ともいう）が設定されている。
【００５１】
図２に示す演出制御基板１２に搭載されたＲＯＭ１２１には、演出制御用のプログラムの他にも、演出動作を制御するために用いられる各種のデータテーブルなどが格納されている。例えば、ＲＯＭ１２１には、演出制御用ＣＰＵ１２０が各種の判定や決定、設定を行うために用意された複数の判定テーブルを構成するテーブルデータ、各種の演出制御パターンを構成するパターンデータなどが記憶されている。
【００５２】
一例として、ＲＯＭ１２１には、演出制御用ＣＰＵ１２０が各種の演出装置（例えば演出表示装置５やスピーカ８Ｌ，８Ｒ、遊技効果ＬＥＤ９及び装飾用ＬＥＤ、演出用模型など）による演出動作を制御するために使用する演出制御パターンを複数種類格納した演出制御パターンテーブルが記憶されている。演出制御パターンは、パチンコ遊技機１における遊技の進行状況に応じて実行される各種の演出動作に対応して、その制御内容を示すデータなどから構成されている。演出制御パターンテーブルには、例えば特図変動時演出制御パターンと、予告演出制御パターンと、各種演出制御パターン等が、格納されていればよい。
【００５３】
特図変動時演出制御パターンは、複数種類の変動パターンに対応して、特図ゲームにおいて特別図柄の変動が開始されてから特図表示結果となる確定特別図柄が導出表示されるまでの期間における、演出図柄の変動表示動作やリーチ演出、再抽選演出などにおける演出表示動作、あるいは、演出図柄の変動表示を伴わない各種の演出表示動作といった、様々な演出動作の制御内容を示すデータなどから構成されている。予告演出制御パターンは、例えば、予め複数パターンが用意された予告パターンに対応して実行される予告演出となる演出動作の制御内容を示すデータなどから構成されている。各種演出制御パターンは、パチンコ遊技機１における遊技の進行状況に応じて実行される各種の演出動作に対応して、その制御内容を示すデータなどから構成されている。
【００５４】
特図変動時演出制御パターンのうちには、例えばリーチ演出を実行する変動パターンごとに、それぞれのリーチ演出における演出態様を異ならせた複数種類のリーチ演出制御パターンが含まれてもよい。
【００５５】
尚、演出図柄の変動表示中において実行される予告演出としては、例えば、所定の画像が段階的に切り替わるステップアップ予告、キャラクタが登場してセリフを喋るセリフ予告、所定の画像が割込み表示されるカットイン予告といった大当りの可能性を示唆する大当り予告演出や、リーチになるか否かを示唆するリーチ予告、擬似連になるか否かを予告する擬似連予告、停止図柄を予告する停止図柄予告、遊技状態が確率変動状態であるか否か（潜伏しているか否か）を予告する潜伏予告といったように、変動表示開始時やリーチ成立時において実行される複数の予告を含む。
【００５６】
次に、パチンコ遊技機１における遊技の進行を概略的に説明する。パチンコ遊技機１では、遊技領域に設けられた通過ゲート４１を通過した遊技球が図２に示すゲートスイッチ２１によって検出されたことといった、普通図柄表示器２０にて普通図柄の変動表示を実行するための普図始動条件が成立した後に、例えば前回の普図ゲームが終了したことといった、普通図柄の変動表示を開始するための普図開始条件が成立したことにもとづいて、普通図柄表示器２０による普図ゲームが開始される。
【００５７】
この普図ゲームでは、普通図柄の変動を開始させた後、普図変動時間となる所定時間が経過すると、普通図柄の変動表示結果となる確定普通図柄を停止表示（導出表示）する。このとき、確定普通図柄として、例えば「７」を示す数字といった、特定の普通図柄（普図当り図柄）が停止表示されれば、普通図柄の変動表示結果が「普図当り」となる。その一方、確定普通図柄として、例えば「７」を示す数字以外の数字や記号といった、普図当り図柄以外の普通図柄が停止表示されれば、普通図柄の変動表示結果が「普図はずれ」となる。普通図柄の変動表示結果が「普図当り」となったことに対応して、普通可変入賞球装置６Ｂを構成する電動チューリップの可動翼片が傾動位置となる拡大開放制御（傾動制御）が行われ、所定時間が経過すると垂直位置に戻る通常開放制御が行われる。
【００５８】
普通入賞球装置６Ａに形成された第１始動入賞口を通過（進入）した遊技球が図２に示す第１始動口スイッチ２２Ａによって検出されたことなどにより第１始動条件が成立した後に、例えば前回の特図ゲームや大当り遊技状態が終了したことなどにより第１開始条件が成立したことにもとづいて、第１特別図柄表示器４Ａによる特図ゲームが開始される。また、普通可変入賞球装置６Ｂに形成された第２始動入賞口を通過（進入）した遊技球が図２に示す第２始動口スイッチ２２Ｂによって検出されたことなどにより第２始動条件が成立した後に、例えば前回の特図ゲームや大当り遊技状態が終了したことなどにより第２開始条件が成立したことにもとづいて、第２特別図柄表示器４Ｂによる特図ゲームが開始される。
【００５９】
第１特別図柄表示器４Ａや第２特別図柄表示器４Ｂによる特図ゲームでは、特別図柄の変動表示を開始させた後、特図変動時間としての変動表示時間が経過すると、特別図柄の変動表示結果となる確定特別図柄（特図表示結果）を導出表示する。このとき、確定特別図柄として特定の特別図柄（大当り図柄）が停止表示されれば、特定表示結果としての「大当り」となり、大当り図柄とは異なる特別図柄が確定特別図柄として停止表示されれば「はずれ」となる。尚、大当り図柄とは異なる所定の特別図柄（小当り図柄）が停止表示されるようにしても良く、これら所定表示結果としての所定の特別図柄（小当り図柄）が停止表示される場合には、大当り遊技状態とは異なる特殊遊技状態としての小当り遊技状態に制御すれば良い。
【００６０】
特図ゲームでの変動表示結果が「大当り」になった後には、遊技者にとって有利なラウンド（「ラウンド遊技」ともいう）を所定回数実行する特定遊技状態としての大当り遊技状態に制御される。
【００６１】
特図ゲームにおける確定特別図柄として大当り図柄が停止表示されて特定表示結果としての「大当り」となった後、大当り遊技状態において、特別可変入賞球装置７の大入賞口扉が、所定の上限時間（例えば２９秒間や０．１秒間）が経過するまでの期間あるいは所定個数（例えば９個）の入賞球が発生するまでの期間にて、大入賞口を開放状態とする。これにより、特別可変入賞球装置７を遊技者にとって有利な第１状態（開放状態）とするラウンドが実行される。
【００６２】
ラウンドの実行中に大入賞口を開放状態とした大入賞口扉は、遊技盤２の表面を落下する遊技球を受け止め、その後に大入賞口を閉鎖状態とすることにより、特別可変入賞球装置７を遊技者にとって不利な第２状態（閉鎖状態）に変化させて、１回のラウンドを終了させる。大入賞口の開放サイクルであるラウンドは、その実行回数が所定の上限回数（例えば「１６」など）に達するまで、繰り返し実行可能となっている。尚、ラウンドの実行回数が上限回数に達する前であっても、所定条件の成立（例えば大入賞口に遊技球が入賞しなかったことなど）により、ラウンドの実行が終了するようにしてもよい。
【００６３】
演出表示装置５に設けられた「左」、「中」、「右」の演出図柄表示エリア５Ｌ，５Ｃ，５Ｒでは、第１特別図柄表示器４Ａにおける第１特図を用いた特図ゲームと、第２特別図柄表示器４Ｂにおける第２特図を用いた特図ゲームとのうち、いずれかの特図ゲームが開始されることに対応して、演出図柄の変動表示が開始される。
【００６４】
特図ゲームにおける確定特別図柄として、はずれ図柄となる特別図柄が停止表示（導出）される場合には、演出図柄の変動表示が開始されてから、演出図柄の変動表示状態がリーチ状態とならずに、所定の非リーチ組合せとなる確定演出図柄が停止表示されることがある。このような演出図柄の変動表示態様は、変動表示結果が「はずれ」となる場合における「非リーチ」（「通常はずれ」ともいう）の変動表示態様と称される。
【００６５】
特図ゲームにおける確定特別図柄として、はずれ図柄となる特別図柄が停止表示（導出）される場合には、演出図柄の変動表示が開始されてから、演出図柄の変動表示状態がリーチ状態となったことに対応して、リーチ演出が実行された後に、あるいは、リーチ演出が実行されずに、所定のリーチはずれ組合せとなる確定演出図柄が停止表示されることがある。このような演出図柄の変動表示結果は、変動表示結果が「はずれ」となる場合における「リーチ」（「リーチはずれ」ともいう）の変動表示態様と称される。
【００６６】
特図ゲームにおける確定特別図柄として、大当り図柄が停止表示される場合には、演出図柄の変動表示状態がリーチ状態となったことに対応して、所定のリーチ演出が実行された後に、複数種類の大当り組合せのうち、所定の大当り組合せとなる確定演出図柄が停止表示される。尚、リーチ演出が実行されずに、確定演出図柄として非確変大当り組合せを停止表示しても良い。
【００６７】
次に、図３〜図２０にもとづいて、演出ユニット２００について説明する。図３は、第１演出体が第１退避位置に配置されおり、第２演出体が第２退避位置に配置された状態の演出ユニットを示す正面斜視図である。図４は、第２演出体が第２進出位置に配置された状態の演出ユニットを示す正面斜視図である。図５は、第１演出体が第１進出位置に配置された状態の演出ユニットを示す正面斜視図である。
【００６８】
本実施例における演出ユニット２００は、図３に示すように、第１演出体４００及び第２演出体５００を有している。第１演出体４００は、演出表示装置５の下方であり、遊技盤２及びセンター飾り枠５１（図１参照）によって遊技者から上端部（より具体的には、第１演出体４００が有する後述の回転体２１１の上端部）以外が視認不能となる第１退避位置と、該第１退避位置よりも上方位置である第１進出位置と、の間で昇降（上下動）可能に設けられている。
【００６９】
図３及び図４に示すように、第２演出体５００は、第１移動体５１０、第２移動体５２０、第３移動体５３０及び第４移動体５４０を有している。これら第１移動体５１０、第２移動体５２０、第３移動体５３０及び第４移動体５４０のうち、第１移動体５１０及び第３移動体５３０は、演出表示装置５の左側方であり、遊技盤２及びセンター飾り枠５１によって遊技者から視認不能である左側第２退避位置と、演出表示装置５の前方である第２進出位置と、の間で水平移動可能に設けられている。また、第２移動体５２０及び第４移動体５４０は、演出表示装置５の右側方であり、遊技盤２及びセンター飾り枠５１によって遊技者から視認不能である右側第２退避位置と、第２進出位置と、の間で水平移動可能に設けられている。以下では、左側第２退避位置と右側第２退避位置とを総称して第２退避位置と表す場合がある。尚、本実施例では、前述したように遊技盤２がベニヤ板等の非透光性部材にて構成されているため、各移動体５１０，５２０，５３０，５４０は第２退避位置において遊技者から視認不能となっているが、本発明はこれに限定されるものではなく、遊技盤２をアクリル板等の透光性部材にて構成することで、各移動体５１０，５２０，５３０，５４０を第２退避位置において遊技者から視認可能としても良い。
【００７０】
これら第１移動体５１０、第２移動体５２０、第３移動体５３０及び第４移動体５４０は、第２進出位置に配置されることで、第１移動体５１０と第２移動体５２０、第２移動体５２０と第３移動体５３０、第３移動体５３０と第４移動体５４０がそれぞれ左右方向に並んで配置され、かつ互いに係合して一体的な大型の役物となる。
【００７１】
また、図４及び図５に示すように、本実施例における第２演出体５００が第２進出位置に配置されている状態では、第１演出体４００が第１退避位置から第１進出位置に向けて移動することで、該第１演出体４００が第２演出体５００の一部に下方から当接し、第１演出体４００によって第２演出体５００が第２進出位置から上方に向けて移動（上昇）するようになっている。以下、演出ユニット２００の構成について説明する。
【００７２】
図３、図４及び図５に示すように、演出ユニット２００は、第１フレーム３０１、第２フレーム３０２及び第３フレームを有している。第１フレーム３０１は、左右方向に長寸な略棒状をなす部材であり、演出ユニット２００の上端部に配置されている。また、第１フレーム３０１の左部には、該第１フレーム３０１の左側後部から前部における左右幅方向の中央部にかけて湾曲した長孔３０１ａが形成されている。また、第１フレーム３０１の右部には、該第１フレーム３０１の右側後部から前部における左右幅方向の中央部かけて湾曲した長孔３０１ｂが形成されている。更に、長孔３０１ａ，３０１ｂには、上部移動体３０１ｃ，３０１ｃが、これら長孔３０１ａ，３０１ｂに沿って水平移動可能に吊設されている。これら上部移動体３０１ｃ，３０１ｃは、第２演出体５００を構成する第１移動体５１０及び第２移動体５２０を上方から水平方向に移動可能に支持している。また、これら上部移動体３０１ｃ，３０１ｃには、上下方向を向く貫通孔３０１ｄが形成されている（図１０（Ａ）参照）。
【００７３】
また、第２フレーム３０２は、上下方向に長寸な略棒状をなす部材であり、演出ユニット２００の左端部に配置されている。第２フレーム３０２には、前後方向を向く枢支用軸３０２ａが形成されており、該枢支用軸３０２ａには、支持アーム３０４の長手方向側の一端部が回動可能に枢支されている。尚、支持アーム３０４には、長手方向側に長寸である長孔３０４ａが形成されており、該長孔３０４ａには、第２演出体５００を構成する第３移動体５３０の背面側に設けられた被支持ピン５３３が挿通されている。
【００７４】
また、第３フレーム３０３は、上下方向に長寸な略棒状をなす部材であり、演出ユニット２００の右端部に配置されている。第３フレーム３０３には、枢支用軸３０３ａが前方に向けて突出形成されており、該枢支用軸３０３ａには、支持アーム３０５の長手方向側の一端部が回動可能に枢支されている。尚、支持アーム３０５には、長手方向側に長寸である長孔３０５ａが形成されており、該長孔３０５ａには、第２演出体５００を構成する第３移動体５３０の背面側に設けられた被支持ピン５４３が挿通されている。
【００７５】
更に、演出ユニット２００は、第１移動体５１０、第２移動体５２０、第３移動体５３０及び第４移動体５４０に対して水平移動するための駆動力を与える駆動部３１０を有しており、第１演出体４００は該駆動部３１０の前方に配置されている。
【００７６】
図６及び図７に示すように、第１演出体４００は、可動体４０１と、該可動体４０１を後方から支持するベース体４０２と、を有している。可動体４０１の正面側の上端部における左右幅方向の中央部には、回転体４０３が図示しない前後方向を向く枢軸によって回動可能に枢支されている。尚、可動体４０１の背面側には、回転用モータ４０４が取り付けられている。該回転用モータ４０４は、駆動することによって、図示しない複数のギヤを介して回転体４０３を正面視で時計回り方向または反時計回り方向に回転させることが可能となっている。
【００７７】
また、可動体４０１の上端部における回転体４０３の左側には当接部４０５が形成されており、可動体４０１の上端部における回転体４０３の右側には当接部４０６が形成されている。これら当接部４０５，４０６の上面は水平方向を向く平坦面に形成されている。尚、当接部４０５の左右幅寸法Ｌ２と当接部４０６の左右幅寸法Ｌ３とは、これら当接部４０５の左右幅寸法Ｌ２と当接部４０６の左右幅寸法Ｌ３との和が回転体４０３の直径Ｌ１よりも長寸となるように形成されている。
【００７８】
また、可動体４０１の左下端部には、上下一対の突出部４０７，４０７が後方に向けて突出形成されており、可動体４０１の右下端部には、上下一対の突出部４０８，４０８が後方に向けて突出形成されている。更に、可動体４０１の左端部には、上下方向に沿って複数の歯部を有するラック部４１６が形成されている。
【００７９】
図６及び図７に示すように、ベース体４０２の左部には、上下方向に長寸なガイド溝４０９が形成されており、ベース体４０２の右部には、上下方向長寸なガイド溝４１０が形成されている。これらガイド溝４０９，４１０のうち、ガイド溝４０９には突出部４０７，４０７が挿通されており、ガイド溝４１０には突出部４０８，４０８が挿通されている。
【００８０】
ベース体４０２の背面側には垂直移動用モータ４１１が取り付けられている。該垂直移動用モータ４１１の図示しない回転軸はベース体４０２を貫通して該ベース体４０２の正面側に配置されており、該枢軸の先端にはギヤ４１２が枢支されている。ベース体４０２の正面側の左下端部では、更に複数のギヤ４１３，４１４，４１５がそれぞれ前後方向を向く図示しない枢軸に対して回動可能に枢支されている。尚、ギヤ４１２は、これらギヤ４１３，４１４，４１５を介してラック部４１６に形成された歯部と噛み合っている。そのため、本実施例の第１演出体４００は、垂直移動用モータ４１１が駆動することにより該駆動力が複数のギヤ４１２，４１３，４１４，４１５を介して可動体４０１に伝達されるようになっており、該駆動力によって可動体４０１が該ガイド溝４０９，４１０に沿って上下方向に移動可能（昇降可能）となっている。
【００８１】
尚、ベース体４０２の正面側におけるガイド溝４０９の下方には、最下方位置に配置された状態のラック部４１６（ラック部４１６の所定位置に設けられたドグ）を検出可能なフォトセンサ４１７が設けられている。また、ベース体４０２の右上端部には、後述するように、第２進出位置に配置された第２演出体５００に当接することで第２演出体５００の前後方向への揺動を防止する揺動防止部４１８が設けられている。
【００８２】
図８に示すように、駆動部３１０は、下ケース体６０１と、該下ケース体６０１に対して上方から取り付けられる中ケース体６０４と、該中ケース体６０４に対して上方から取り付けられる上ケース体６３０と、を有している。また、下ケース体６０１の前部には、上方に向けて開口するとともに左右幅方向に長寸である凹部６０１ａが形成されている。下ケース体６０１における凹部６０１ａの後方には、上方に向けて開口するとともに左右幅方向に長寸である凹部６０１ｂが形成されている。
【００８３】
また、下ケース体６０１内には、第３移動体５３０及び第４移動体５４０を水平移動させるためのラック体６０２，６０３が配置されている。ラック体６０２は、左右幅方向に長寸に形成された棒状体であり、該ラック体６０２の下部右側には、軸心が上下方向を向く円筒状のガイドローラ６０２ａ，６０２ａが設けられている。これらガイドローラ６０２ａ，６０２ａは凹部６０１ａ内に挿通されているため、ラック体６０２は、該凹部６０１ａに沿って左右幅方向に移動可能となっている。また、ラック体６０２の左側後部には、前後方向に長寸な長孔６０２ｂが形成されている。更に、ラック体６０２の左側前部と右側後部には、左右方向に沿って複数の歯部が形成されている。
【００８４】
また、ラック体６０３は、ラック体６０２の後方に配置されているとともに、左右幅方向に長寸に形成された棒状体であり、該ラック体６０３の下部右側には軸心が上下方向を向く円筒形状のガイドローラ６０３ａ，６０３ａが突出形成されている。これらガイドローラ６０３ａ，６０３ａは凹部６０１ｂ内に挿通されているため、ラック体６０３は、該凹部６０１ｂに沿って左右幅方向に移動可能となっている。また、ラック体６０３の右端部には、前後方向に長寸な長孔６０３ｂが形成されている。更に、ラック体６０３の前部には、左右方向に沿って複数の歯部が形成されている。
【００８５】
尚、ラック体６０２，６０３との間には、ギヤ６１１が上下方向を向く図示しない枢軸に対して回動可能に枢支されており、該ギヤ６１１は、ラック体６０２の右側後部に形成された歯部と、ラック体６０３の前部に形成された歯部とに噛み合っている。
【００８６】
また、下ケース体６０１の左側前端部には、水平移動用モータ６０５の図示しない回転軸に枢支されたギヤ６０６が配置されている。尚、水平移動用モータ６０５は、後述するように中ケース体６０４の左側前端部に取り付けられているモータである。下ケース体６０１の左側前端部では、複数のギヤ６０７，６０８，６０９，６１０が、それぞれ上下方向を向く図示しない枢軸に対して回動可能に枢支されている。尚、ギヤ６０６は、これら複数のギヤ６０７，６０８，６０９，６１０を介してラック体６０２の左側前部に形成された歯部と噛み合っている。そのため、本実施例におけるラック体６０２は、水平移動用モータ６０５が駆動することにより、ギヤ６０６，６０７，６０８，６０９，６１０を介して左右方向に移動可能となっている。更に、本実施例におけるラック体６０３は、ギヤ６１１を介してラック体６０２とは逆方向に移動可能となっている。
【００８７】
また、中ケース体６０４の後部には、上方に向けて開口するとともに左右幅方向に長寸である凹部６０４ａが形成されている。また、中ケース体６０４の左側後部から前部における左右幅方向の中央部にかけて、上方に向けて開口する湾曲した凹部６０４ｂが形成されている。また、中ケース体６０４の右側後部から前部における左右幅方向の中央部にかけて、上方に向けて開口する湾曲した凹部６０４ｃが形成されている。更に、中ケース体６０４の左部における凹部６０４ｂよりも前方側には、該中ケース体６０４の左端部から左右幅方向の中央部に向けて前方に傾斜をなす長孔６０４ｄが形成されており、中ケース体６０４の右部における凹部６０４ｃよりも前方側には、該中ケース体６０４の右端部から左右幅方向の中央部に向けて前方に傾斜を成す長孔６０４ｅが形成されている。
【００８８】
尚、長孔６０４ｄには、第３移動体５３０を構成する後述の第３支持体５３１の下端部に取り付けられたガイドローラ５３１ｄ，５３１ｅが挿通されている。また、長孔６０４ｅには、第４移動体５４０を構成する後述の第４支持体５４１の下端部に取り付けられたガイドローラ５４１ｄ，５４１ｅが挿通されている。
【００８９】
図９に示すように、第３移動体５３０は、ガイドローラ５３１ｄ，５３１ｅが長孔６０４ｄ内に挿通されていることで、該長孔６０４ｄに沿って左側第２退避位置と第２進出位置との間を水平移動可能となっている。また、第４移動体５４０は、ガイドローラ５４１ｄ，５４１ｅが長孔６０４ｅ内に挿通されていることで、該長孔６０４ｅに沿って右側第２退避位置と第２進出位置との間を水平移動可能となっている。
【００９０】
図８に示すように、中ケース体６０４における凹部６０４ｂの左端部近傍には、フォトセンサ６１３が設けられており、凹部６０４ｂの右端部近傍には、フォトセンサ６１４が設けられている。また、中ケース体６０４における長孔６０４ｄの左端部近傍には、フォトセンサ６１５が設けられており、長孔６０４ｄの右端部近傍（水平移動用モータ６０５の右側近傍）には、スペーサ６１６が取り付けられている。該スペーサ６１６上には、フォトセンサ６１７が設けられている。更に、中ケース体６０４の左側先端部には、前述した水平移動用モータ６０５が取り付けられている。
【００９１】
また、中ケース体６０４内には、第１移動体５１０及び第２移動体５２０を水平移動させるためのラック体６２１，６２２が配置されている。ラック体６２１は、左右幅方向に長寸に形成された棒状体であり、該ラック体６２１の下部には、軸心が上下方向を向く円筒状のガイドローラ６２１ａ，６２１ａが設けられている。これらガイドローラ６２１ａ，６２１ａは凹部６０４ａ内に挿通されているため、ラック体６２１は、該凹部６０４ａに沿って左右幅方向に移動可能となっている。また、ラック体６２１の左端部には、前方に向けて突出する突出片６２１ｂが形成されており、該突出片６２１ｂには、突出片６２１ｂの後端部から前端部にかけて湾曲した長孔６２１ｃが形成されている。
【００９２】
また、ラック体６２２は、左右幅方向に長寸に形成された棒状体であり、該ラック体６２２の上部には、軸心が上下方向を向く円筒形状のガイドローラ６２２ａが複数設けられている。これらガイドローラ６２２ａは、上ケース体６３０における後述する長孔６３０ａ内に挿通されているため、ラック体６２２は、該長孔６３０ａに沿ってラック体６２１の上方を左右幅方向に移動可能となっている。また、ラック体６２２の右端部には、前方に向けて突出する突出片６２２ｂが形成されており、該突出片６２２ｂには、突出片６２２ｂの後端部から前端部にかけて湾曲した長孔６２２ｃが形成されている。
【００９３】
また、中ケース体６０４の左右幅方向における略中央部には、水平移動用モータ６３１の図示しない回転軸に枢支されたギヤ６２３が配置されている。尚、水平移動用モータ６３１は、後述するように、上ケース体６３０の左右幅方向における略中央部に取り付けられているモータである。中ケース体６０４の左右幅方向における略中央部には、複数のギヤ６２４，６２５がそれぞれ上下方向を向く図示しない枢軸に対して回動可能に枢支されており、ギヤ６２３は、これら複数のギヤ６２４，６２５を介してラック体６２１の前部に形成された歯部と噛み合っている。
【００９４】
更に、中ケース体６０４の左右幅方向における略中央部には、ギヤ６２６が上下方向を向く図示しない枢軸に対して回動可能に枢支されており、ギヤ６２３は、該ギヤ６２６を介してラック体６２２の前部に形成された歯部とも噛み合っている。そのため、本実施例におけるラック体６２１は、水平移動用モータ６３１が駆動することにより、ギヤ６２３，６２４，６２５を介して左右方向に移動可能となっており、ラック体６２２は、水平移動用モータ６３１が駆動することによりギヤ６２３，６２６を介してラック体６２１の上方をラック体６２１とは逆方向に移動可能となっている。
【００９５】
また、上ケース体６３０の後部には、左右幅方向に長寸である前述した長孔６３０ａが形成されている。また、上ケース体６３０の左部には、凹部６０４ｂと同一の略円弧形状の長孔６３０ｂが形成されており、上ケース体６３０の右部には、凹部６０４ｃと同一の略円弧形状の長孔６３０ｃが形成されている。尚、上ケース体６３０が中ケース体６０４に取り付けられることで、長孔６３０ｂは凹部６０４ｂと連通し、長孔６３０ｃは凹部６０４ｃと連通する。
【００９６】
このように連通する長孔６３０ｂと凹部６０４ｂとには、第１移動体５１０を構成する後述の第１支持体５１１の下端部に取り付けられたガイドローラ５１１ｅ，５１１ｆ，５１１ｇが挿通されており、同じく連通する長孔６３０ｂと凹部６０４ｂとには、第２移動体５２０を構成する後述の第２支持体５２１の下端部に取り付けられたガイドローラ５２１ｅ，５２１ｆ，５２１ｇが挿通されている（図９参照）。尚、上ケース体６３０の左右幅方向における略中央部には、前述した水平移動用モータ６３１が取り付けられている。
【００９７】
更に、駆動部３１０は、上ケース体６３０に上方から取り付けられる下カバー体６４０と、該下カバー体６４０に上方から取り付けられる中カバー体６５０と、該中カバー体６５０に上方から取り付けられる上カバー体６６０と、を有している。
【００９８】
また、下カバー体６４０は、該下カバー体６４０が上ケース体６３０に取り付けられることで水平移動用モータ６３１の上方に配置される水平板部６４０ａを有している。水平板部６４０ａには、右端部から該水平板部６４０ａの左右幅方向の中央部にかけて湾曲した長孔６４０ｂが形成されている。該長孔６４０ｂには、第２移動体５２０を構成する後述の第２支持体５２１に設けられた第２支持ローラ５２１ａ（図９及び図１０参照）が挿通されている。
【００９９】
また、中カバー体６５０は、平面視で水平板部６４０ａと略同一形状の板体である。中カバー体６５０には、左端部から該中カバー体６５０の左右幅方向の中央部にかけて湾曲した長孔６５０ａが形成されている。該長孔６５０ａには、第１移動体５１０を構成する後述の第１支持体５１１に設けられた第１支持ローラ５１１ａ（図９及び図１０参照）が挿通されている。尚、上カバー体６６０は、平面視で水平板部６４０ａ及び中カバー体６５０と略同一形状の板体であり、中カバー体６５０に上方から取り付けられることで長孔６４０ｂ及び長孔６５０ａを遊技者から隠蔽可能となっている。
【０１００】
図９に示すように、第１移動体５１０は、第１支持ローラ５１１ａが長孔６５０ａ内に挿通されているとともに、ガイドローラ５１１ｅ，５１１ｆ，５１１ｇが長孔６３０ｂ内に挿通されていることで、これら長孔６５０ａ及び６３０ｂに沿って左側第２退避位置と第２進出位置との間を水平移動可能となっている。また、第２移動体５２０は、第２支持ローラ５２１ａが長孔６４０ｂ内に挿通されているとともに、ガイドローラ５２１ｅ，５２１ｆ，５２１ｇが長孔６３０ｃに挿通されていることで、これら長孔６４０ｂ及び６３０ｃに沿って右側第２退避位置と第２進出位置との間を水平移動可能となっている。
【０１０１】
尚、本実施例における左側第２退避位置では、第１移動体５１０は第３移動体５３０よりも後方に配置されており、本実施例における右側第２退避位置では、第２移動体５２０は第４移動体５４０よりも後方に配置されている。
【０１０２】
前述のように長孔６０４ｄ，６０４ｅ，６３０ｂ，６０３ｃが形成された駆動部３１０においては、第１移動体５１０、第２移動体５２０、第３移動体５３０及び第４移動体５４０は、図９（Ａ）及び図９（Ｂ）に示すように、水平移動用モータ６０５，６３１が駆動することで同時に第２退避位置から第２進出位置に向けて移動を開始する。このとき、第１移動体５１０は、長孔６３０ｂに沿って移動することにより、第２進出位置に向けて移動しつつ第３移動体５３０の後方から前方に進出する。また、第２移動体５２０は、長孔６３０ｃに沿って移動することにより、第２進出位置に向けて移動しつつ第４移動体５４０の後方から前方に進出する。そして、第１移動体５１０及び第２移動体５２０は、第３移動体５３０及び第４移動体５４０よりも先に第２進出位置への移動が完了する。このとき、第１移動体５１０の右端部と第２移動体５２０の左端部とが係合する。
【０１０３】
第１移動体５１０と第２移動体５２０との第２進出位置への移動が完了した後は、第３移動体５３０と第４移動体５４０との第２進出位置への移動が完了する。このとき、第３移動体５３０の右端部と第１移動体５１０の左端部とが係合するとともに、第４移動体５４０の左端部と第２移動体５２０の右端部とが係合する。
【０１０４】
次に、図１０〜図１３にもとづいて、第２演出体５００を構成する第１移動体５１０、第２移動体５２０、第３移動体５３０及び第４移動体５４０の構造について説明する。先ず、図１０（Ａ）及び図１０（Ｂ）に示すように、第１移動体５１０は、第１支持体５１１と第１可動板５１２とを有している。
【０１０５】
第１支持体５１１の上部には、上下方向に長寸なガイド長孔５１１ｂが形成されており、第１支持体５１１の下部には、上下方向に長寸なガイド長孔５１１ｃが形成されている。また、第１支持体５１１には、前述した第１支持ローラ５１１ａが設けられており、該第１支持ローラ５１１ａは長孔６５０ａ内に挿通されている。更に、第１支持体５１１の下端部には、前述したガイドローラ５１１ｅ，５１１ｆ，５１１ｇが設けられており、これらガイドローラ５１１ｅ，５１１ｆ，５１１ｇは上ケース体６３０に形成された長孔６３０ｂに挿通されている。尚、ガイドローラ５１１ｆは、ラック体６２１における突出片６２１ｂに形成された長孔６２１ｃに更に挿通されており、ガイドローラ５１１ｅ，５１１ｇは長孔６３０ｂ内において突出片６２１ｂの側方に配置されている。
【０１０６】
つまり、本実施例における第１移動体５１０は、第１支持体５１１の下端部において、ラック体６２１によって支持されている。尚、図１２（Ａ）及び図１２（Ｂ）に示すように、ガイドローラ５１１ｅ，５１１ｆ，５１１ｇは、水平移動用モータ６３１の駆動によってラック体６２１が左右方向に移動することで、長孔６３０ｂ内を移動する。加えて、ガイドローラ５１１ｆは、水平移動用モータ６３１の駆動によって長孔６２１ｃ内を移動する。
【０１０７】
尚、第１支持体５１１の背面側には検出片５１１ｈが形成されている。該検出片５１１ｈは、第１移動体５１０が左側第２退避位置から第２進出位置に移動する際にフォトセンサ６１４によって検出可能であるとともに、第１移動体５１０が第２進出位置から左側第２退避位置に移動する際にフォトセンサ６１３によって検出可能である。このように、検出片５１１ｈがフォトセンサ６１３，６１４によって検出されることで水平移動用モータ６３１の駆動が停止、つまり、第１移動体５１０及び第２移動体５２０の移動が停止するようになっている。
【０１０８】
図１０（Ａ）及び図１０（Ｂ）に示すように、第１可動板５１２の背面側上部には、軸心が第１可動板５１２の前後方向を向く円筒形状のガイドローラ５１２ａが設けられており、第１可動板５１２の背面側下部には、軸心が第１可動板５１２の前後方向を向く円筒形状のガイドローラ５１２ｂ，５１２ｂが設けられている。これらガイドローラ５１２ａ，５１２ｂ，５１２ｂのうち、第１可動板５１２の背面側上部に形成されたガイドローラ５１２ａは、第１支持体５１１の上部に形成されたガイド長孔５１１ｂ内に挿通されており、第１可動板５１２の背面側下部に形成されたガイドローラ５１２ｂ，５１２ｂは、第１支持体５１１の下部に形成されたガイド長孔５１１ｃ内に挿通されている。
【０１０９】
更に、第１可動板５１２の上端部には、上下方向に長寸な一対のガイド棒５１２ｃ，５１２ｃが設けられている。これらガイド棒５１２ｃ，５１２ｃは、第１フレーム３０１の左部に形成された長孔３０１ａに吊設されている上部移動体３０１ｃの貫通孔３０１ｄに挿通されており、第１可動板５１２は、ガイドローラ５１２ａ，５１２ｂ，５１２ｂがガイド長孔５１１ｂ，５１１ｃによって案内されることと、ガイド棒５１２ｃ，５１２ｃが長孔３０１ａに吊設されている上部移動体３０１ｃの貫通孔３０１ｄに案内されることにより、第１支持体５１１に対して上下動可能となっている。
【０１１０】
また、第１可動板５１２の右部には、下方及び右方に向けて開口する切欠部５１２ｄが形成されている。また、切欠部５１２ｄの上方は、第１移動体５１０の右端部を構成する右側端縁部５１２ｅに形成されており、該右側端縁部５１２ｅには複数の磁石部材５１３が設けられている。尚、第１可動板５１２の左端部は、第１移動体５１０の左端部を構成する左側端縁部５１２ｆに形成されており、該左側端縁部５１２ｆには複数の金属部材５１４が設けられている。
【０１１１】
また、第１可動板５１２の下端縁には、可動体４０１に形成された当接部４０５が下方から当接するための被当接部５１２ｇが前方に向けて突出形成されている。また、第１可動板５１２の下端縁には、被当接部５１２ｇよりも後方位置から被当接部５１２ｈが下方に向けて突出形成されている（図１４（Ａ）参照）。
【０１１２】
また、第２移動体５２０は、第２支持体５２１と第２可動板５２２とを有している。第２支持体５２１の上部には、上下方向に長寸なガイド長孔５２１ｂが形成されており、第２支持体５２１の下部には、上下方向に長寸なガイド長孔５２１ｃが形成されている。また、第２支持体５２１には、前述した第２支持ローラ５２１ａが設けられており、該第２支持ローラ５２１ａは長孔６５０ａ内に挿通されている。更に、第２支持体５２１の下端部には、前述したガイドローラ５２１ｅ，５２１ｆ，５２１ｇが設けられており、これらガイドローラ５２１ｅ，５２１ｆ，５２１ｇは上ケース体６３０に形成された長孔６３０ｃに挿通されている。尚、ガイドローラ５２１ｆは、ラック体６２２における突出片６２２ｂに形成された長孔６２２ｃに更に挿通されており、ガイドローラ５２１ｅ，５２１ｇは長孔６３０ｃ内において突出片６２２ｂの側方に配置されている。
【０１１３】
つまり、本実施例における第２移動体５２０は、第２支持体５２１の下端部において、ラック体６２２によって支持されている。尚、図１２（Ａ）及び図１２（Ｂ）に示すように、ガイドローラ５２１ｅ，５２１ｆ，５２１ｇは、水平移動用モータ６３１の駆動によってラック体６２２が左右方向に移動することで、長孔６３０ｃ内を移動する。加えて、ガイドローラ５２１ｆは、水平移動用モータ６３１の駆動によって長孔６２２ｃ内を移動する。
【０１１４】
図１０（Ａ）及び図１０（Ｂ）に示すように、第２可動板５２２の背面側上部には、軸心が第２可動板５２２の前後方向を向く円筒形状のガイドローラ５２２ａが設けられており、第２可動板５２２の背面側下部には、軸心が第２可動板５２２の前後方向を向く円筒形状のガイドローラ５２２ｂ，５２２ｂが設けられている。これらガイドローラ５２２ａ，５２２ｂ，５２２ｂのうち、第２可動板５２２の背面側上部に形成されたガイドローラ５２２ａは、第２支持体５２１の上部に形成されたガイド長孔５２１ｂ内に挿通されており、第２可動板５２２の背面側下部に形成されたガイドローラ５２２ｂ，５２２ｂは、第２支持体５２１の下部に形成されたガイド長孔５２１ｃ内に挿通されている。
【０１１５】
更に、第２可動板５２２の上端部には、上下方向に長寸な一対のガイド棒５２２ｃ，５２２ｃが設けられている。これらガイド棒５２２ｃ，５２２ｃは、長孔３０１ｂに吊設されている上部移動体３０１ｃの貫通孔３０１ｄに挿通されており、第２可動板５２２は、ガイドローラ５２２ａ，５２２ｂ，５２２ｂがガイド長孔５２１ｂ，５２１ｃによって案内されることと、ガイド棒５２２ｃ，５２２ｃが長孔３０１ｂに吊設されている上部移動体３０１ｃの貫通孔３０１ｄ案内されることにより、第２支持体５２１に対して上下動可能となっている。
【０１１６】
また、第２可動板５２２の左部には、下方及び左方に向けて開口する切欠部５２２ｄが形成されている。また、切欠部５２２ｄの上方は、第２移動体５２０の左端部を構成する左側端縁部５２２ｅに形成されており、該左側端縁部５２２ｅには複数の金属部材５２３が設けられている。尚、第２可動板５２２の右端部は、第２移動体５２０の右端部を構成する右側端縁部５２２ｆに形成されており、該右側端縁部５２２ｆには複数の金属部材５２４が設けられている。
【０１１７】
また、第２可動板５２２の下端縁には、可動体４０１に形成された当接部４０５が下方から当接するための被当接部５２２ｇが前方に向けて突出形成されている。また、第２可動板５２２の下端縁には、被当接部５２２ｇよりも後方位置から被当接部５２２ｈが下方に向けて突出形成されている（図１４（Ａ）及び図２０参照）。
【０１１８】
図１１（Ａ）及び図１１（Ｂ）に示すように、第３移動体５３０は、第３支持体５３１と第３可動板５３２とを有している。第３支持体５３１の上部には、上下方向に長寸なガイド長孔５３１ａ，５３１ｂが形成されている。第３支持体５３１の上端部には、上下方向に長寸なガイド棒５３１ｃが設けられている。また、第３支持体５３１の背面側下部には、軸心が第３支持体５３１の前後方向を向く円筒形状のガイドローラ５３１ｈ，５３１ｈが設けられている。これらガイドローラ５３１ｈ，５３１ｈは、上ケース体６３０の上面に当接することで第３移動体５３０を下方から支持しており（図１６参照）、第３移動体５３０が右側第２退避位置と第２進出位置との間を移動することで上ケース体６３０の上面を転動するローラである。
【０１１９】
また、第３支持体５３１の下端部には、前述したガイドローラ５３１ｄ，５３１ｅが設けられている。更に、第３支持体の下端部には、第３支持体５３１の後方に向けて突出する連結部材５３１ｆが取り付けられている。該連結部材５３１ｆには、軸心が上下方向を向く円筒形状のガイドローラ５３１ｇが設けられており、該ガイドローラ５３１ｇは、ラック体６０２に形成されている長孔６０２ｂ内に挿通されている。
【０１２０】
尚、図１３（Ａ）及び図１３（Ｂ）に示すように、ガイドローラ５３１ｄ，５３１ｅは、水平移動用モータ６０５の駆動によってラック体６０２が左右方向に移動することで、長孔６０４ｄ内を移動する。加えて、ガイドローラ５３１ｇは、ガイドローラ５３１ｄ，５３１ｅが長孔６０４ｄ内を移動することに連動して長孔６０２ｂ内を移動する。
【０１２１】
尚、第３支持体５３１には検出片５３１ｉが形成されている。該検出片５３１ｉは、第３移動体５３０が左側第２退避位置から第２進出位置に移動する際にフォトセンサ６１７によって検出可能であるとともに、第３移動体５３０が第２進出位置から左側第２退避位置に移動する際にフォトセンサ６１５によって検出可能である。このように、検出片５３１ｉがフォトセンサ６１５，６１７によって検出されることで水平移動用モータ６０５の駆動が停止、つまり、第３移動体５３０及び第４移動体５４０の移動が停止するようになっている。
【０１２２】
図１１（Ａ）及び図１１（Ｂ）に示すように、第３可動板５３２の背面側下部には、軸心が第３可動板５３２の前後方向を向く円筒形状のガイドローラ５３２ａ，５３２ａと、軸心が第３可動板５３２の前後方向を向く円筒形状のガイドローラ５３２ｂ，５３２ｂとが設けられている。また、ガイドローラ５３２ａ，５３２ａは、第３支持体５３１に形成されたガイド長孔５３１ａ内に挿通されており、ガイドローラ５３２ｂ，５３２ｂは、第３支持体５３１に形成されたガイド長孔５３１ｂ内に挿通されている。
【０１２３】
更に、第３可動板５３２の背面側上部には、該第３可動板５３２の後方に向けて突出部５３２ｃ，５３２ｃが突出形成されている。これら突出部５３２ｃ，５３２ｃに形成された図示しない貫通孔にはガイド棒５３１ｃが挿通されており、第３可動板５３２は、ガイドローラ５３２ａ，５３２ａがガイド長孔５３１ａに案内されることと、ガイドローラ５３２ｂ，５３２ｂがガイド長孔５３１ｂに案内されこと及びガイド棒５３１ｃが突出部５３２ｃ，５３２ｃに形成された図示しない貫通孔に案内されることにより、第３支持体５３１に対して上下方向に対して上下動可能となっている。
【０１２４】
尚、第３可動板５３２の背面側には、前述した被支持ピン５３３が設けられている。該被支持ピン５３３は、支持アーム３０４に形成された長孔３０４ａ内に挿通されている。また、第３可動板５３２の右端部は、第３移動体５３０の右端部を構成する右側端縁部５３２ｉに形成されており、該右側端縁部５３２ｉには複数の磁石部材５３４が設けられている。また、第３可動板５３２の下端縁には、可動体４０１に形成された当接部４０５が下方から当接するための被当接部５３２ｊが前方に向けて突出形成されている。また、第３可動板５３２の下端縁には、被当接部５３２ｊよりも後方位置から被当接部５３２ｋが下方に向けて突出形成されている（図１４（Ａ）参照）。
【０１２５】
図１１（Ａ）及び図１１（Ｂ）に示すように、第４移動体５４０は、第４支持体５４１と第４可動板５４２とを有している。第４支持体５４１の上部には、上下方向に長寸なガイド長孔５４１ａ，５４１ｂが形成されている。第４支持体５４１の上端部には、上下方向に長寸なガイド棒５４１ｃが設けられている。また、第４支持体５４１の背面側下部には、軸心が第４支持体５４１の前後方向を向く円筒形状のガイドローラ５４１ｈ，５４１ｈが設けられている。これらガイドローラ５４１ｈ，５４１ｈは、前述した第３支持体５３１に設けられたガイドローラ５３１ｈ，５３１ｈと同様に上ケース体６３０の上面に当接することで第４移動体５４０を下方から支持しており、第４移動体５４０が右側第２退避位置と第２進出位置との間を移動することで上ケース体６３０の上面を転動するローラである。
【０１２６】
また、第４支持体５４１には、突出片５４１ｉが前方に向けて突設されている。該突出片は第４支持体５４１が第２進出位置に移動したときに、揺動防止部４１８の背面に当接可能となっている（図１６（Ａ）参照）。また、第４支持体５４１の下端部には、前述したガイドローラ５４１ｄ，５４１ｅが設けられている。更に、第４支持体５４１の下端部には、第４支持体５４１の後方に向けて突出する連結部材５４１ｆが取り付けられている。該連結部材５４１ｆには、軸心が上下方向を向く円筒形状のガイドローラ５４１ｇが設けられており、該ガイドローラ５４１ｇは、ラック体６０３に形成されている長孔６０３ｂ内に挿通されている。
【０１２７】
尚、図１３（Ａ）及び図１３（Ｂ）に示すように、ガイドローラ５４１ｄ，５４１ｅは、水平移動用モータ６０５の駆動によってラック体６０３が左右方向に移動することで、長孔６０４ｅに沿って移動する。加えて、ガイドローラ５４１ｇは、ガイドローラ５４１ｄ，５４１ｅが長孔６０４ｅに沿って移動することに連動して長孔６０３ｂ内を移動する。
【０１２８】
図１１（Ａ）及び図１１（Ｂ）に示すように、第４可動板５４２の背面側下部には、軸心が第４可動板５４２の前後方向を向く円筒形状のガイドローラ５４２ａ，５４２ａと、軸心が第４可動板５４２の前後方向を向く円筒形状のガイドローラ５４２ｂ，５４２ｂとが設けられている。ガイドローラ５４２ａ，５４２ａは、第４支持体５４１に形成されたガイド長孔５４１ａ内に挿通されており、ガイドローラ５４２ｂ，５４２ｂは、第４支持体５４１に形成されたガイド長孔５４１ｂ内に挿通されている。
【０１２９】
更に、第４可動板５４２の背面側上部には、該第４可動板５４２の後方に向けて突出部５４２ｃ，５４２ｃが突出形成されている。これら突出部５４２ｃ，５４２ｃに形成された図示しない貫通孔にはガイド棒５４１ｃが挿通されており、第４可動板５４２は、ガイドローラ５４２ａ，５４２ａがガイド長孔５４１ａに案内されることと、ガイドローラ５４２ｂ，５４２ｂがガイド長孔５４１ｂに案内されこと及びガイド棒５４１ｃが突出部５４２ｃ，５４２ｃに形成された図示しない貫通孔に案内されることにより、第４支持体５４１に対して上下方向に対して上下動可能となっている。
【０１３０】
尚、第４可動板５４２の背面側には、前述した被支持ピン５４３が設けられている。該被支持ピン５４３は、支持アーム３０４に形成された長孔３０４ａ内に挿通されている。また、第４可動板５４２の左端部は、第４移動体５４０の左端部を構成する左側端縁部５４２ｉに形成されており、該左側端縁部５４２ｉには複数の磁石部材５４４が設けられている。また、第４可動板５４２の下端縁には、可動体４０１に形成された当接部４０６が下方から当接するための被当接部５４２ｊが前方に向けて突出形成されている。また、第４可動板５４２の下端縁には、被当接部５４２ｊよりも後方位置から被当接部５４２ｋが下方に向けて突出形成されている（図１４（Ａ）及び図２０参照）。
【０１３１】
次に、図１４〜図１５にもとづいて、演出ユニット２００の駆動態様について説明する。図１４（Ａ）は、第１演出体が第１退避位置に配置されおり、第２演出体が第２退避位置に配置されている演出ユニットを示す正面概略図であり、図１４（Ｂ）は、第１演出体が第１退避位置に配置されおり、第２演出体が第２進出位置に配置されている演出ユニットを示す正面概略図である。図１５（Ａ）は、第１演出体が第２進出位置に配置されている第２演出体に当接する演出ユニットを示す正面概略図であり、図１５（Ｂ）は、第１演出体が第１進出位置に配置されたことで、第２演出体を第２進出位置から上昇させた演出ユニットを示す正面概略図である。
【０１３２】
本実施例の演出ユニット２００は、特定演出の実行時において駆動される。例えば、大当り期待度を示唆する演出等において演出ユニット２００が駆動される。尚、スーパーリーチ演出、予告演出、大当り確定報知演出、確変中演出、ＳＴ中演出、客待ちデモンストレーション演出等の演出において演出ユニット２００が駆動されても良い。
【０１３３】
図１４（Ａ）に示すように、特定演出の実行前において、第１演出体４００は第１退避位置に配置されているとともに、第２演出体５００の各移動体５１０，５２０，５３０，５４０は第２退避位置に配置されている。尚、左側第２退避位置では、第１移動体５１０の前方に第３移動体５３０が重畳して配置されている、更に、右側第２退避位置では、第２移動体５２０の前方に第４移動体５４０が重畳して配置される。このように、左右の各移動体５１０，５２０，５３０，５４０が重畳されるので、大型の第２演出体５００であってもコンパクトに遊技盤２の背面側に収納することができる。
【０１３４】
尚、第３移動体５３０及び第４移動体５４０をそれぞれ支持している支持アーム３０４，３０５は、長手方向が略垂直方向を向いている。また、第１退避位置に第１演出体４００が配置されている状態では、この第１演出体４００の可動体４０１の当接部４０５，４０６の上端部が、第２演出体５００の各移動体５１０，５２０，５３０，５４０の下端部よりも低い位置に設けられている。尚、特定演出の実行前において、演出表示装置５には、特定演出に関する画像等が表示されても良い。例えば、第１演出体４００や第２演出体５００に関する画像が表示されることで、演出ユニット２００が駆動するのではないかという遊技者の期待感を煽るようにしても良い。また、第２演出体５００の各移動体５１０，５２０，５３０，５４０を若干駆動させた後に再び第２退避位置に戻し、これを数回繰り返すことで、特定演出の実行開始前に、遊技者の期待感を煽るようにしても良い。
【０１３５】
図１４（Ｂ）に示すように、特定演出の実行が開始されると、第２演出体５００の各移動体５１０，５２０，５３０，５４０が第２退避位置から、演出表示装置５の前方である第２進出位置まで移動される。尚、特定演出の開始前には、第３移動体５３０及び第４移動体５４０のそれぞれの後方位置に配置されている第１移動体５１０及び第２移動体５２０が配置されているが（図９（Ａ）参照）、特定演出が開始されると、最初に第１移動体５１０及び第２移動体５２０が第２退避位置から第２進出位置まで移動される（図９（Ｂ）参照）。
【０１３６】
尚、第１移動体５１０及び第２移動体５２０の水平方向の移動を案内するために設けられた駆動部３１０の長孔６３０ｂ，６３０ｃ及び第１フレーム３０１の長孔３０１ａ，３０１ｂは、平面視で湾曲した形状をなしているとともに、（図９（Ａ）及び図１２（Ａ）参照）。これら長孔３０１ａ，３０１ｂ，６３０ｂ，６３０ｃは、中央側の端部の位置が左右端部の位置よりも前方位置になるように湾曲されている。そして、これら長孔３０１ａ，３０１ｂ，６３０ｂ，６３０ｃに沿って、第１移動体５１０及び第２移動体５２０が第２進出位置まで移動されると、第１移動体５１０及び第２移動体５２０は、第３移動体５３０及び第４移動体５４０とほぼ面一をなす前方位置まで移動される（図９（Ｂ）及び図１２（Ｂ）参照）。
【０１３７】
そして、第２進出位置（中央位置）まで移動された第１移動体５１０及び第２移動体５２０は、それぞれの中央側を向く端縁部が互いに係合される。尚、第１移動体５１０の中央側を向く端縁部である右側端縁部５１２ｅには磁石部材５１３が設けられており（図１０参照）、第２移動体５２０の中央側を向く端縁部である左側端縁部５２２ｅには金属部材５２３が設けられている（図１０参照）。そして、第１移動体５１０及び第２移動体５２０の中央側の端縁部が互いに係合されると、磁石部材５１３が金属部材５２３に対して磁力により吸着されるので、第１移動体５１０及び第２移動体５２０の係合状態が維持される。
【０１３８】
また、第１移動体５１０及び第２移動体５２０が第２進出位置（中央位置）まで移動された後、第３移動体５３０及び第４移動体５４０が第２退避位置から第２進出位置まで移動される（図９（Ｃ）参照）。第２進出位置まで移動された第３移動体５３０の右側の端縁部が第１移動体５１０の左側の端縁部に係合されるとともに、第２進出位置まで移動された第４移動体５４０の左側の端縁部が第２移動体５２０の右側の端縁部に係合される。
【０１３９】
尚、第３移動体５３０の右側の端縁部である右側端縁部５３２ｉには磁石部材５３４が設けられており、第１移動体５１０の左側の端縁部である左側端縁部５１２ｆには金属部材５１４が設けられている（図１０（Ｂ）及び図１１（Ａ）参照）。そして、第３移動体５３０の右側の端縁部が第１移動体５１０の左側の端縁部に係合されると、磁石部材５３４が金属部材５１４に対して磁力により吸着されるので、第３移動体５３０及び第１移動体５１０の係合状態が維持される。
【０１４０】
また、第４移動体５４０の左側の端縁部である左側端縁部５４２ｉには、磁石部材５４４が設けられており、第２移動体５２０の右側の端縁部である右側端縁部５２２ｆには金属部材５２４が設けられている（図１０（Ａ）及び図１１（Ｂ）参照）。そして、第４移動体５４０の左側の端縁部が第２移動体５２０の右側の端縁部に係合されると、磁石部材５４４が金属部材５２４に対して磁力により吸着されるので、第４移動体５４０及び第２移動体５２０の係合状態が維持される。
【０１４１】
図１４（Ｂ）に示すように、各移動体５１０，５２０，５３０，５４０が第２進出位置まで移動されると、各移動体５１０，５２０，５３０，５４０が一体化した大型の役物（第２演出体５００）が形成される。ここで、第３移動体５３０及び第４移動体５４０をそれぞれ支持している支持アーム３０４，３０５は、長手方向が傾斜して配置される。このとき、第３移動体５３０の被支持ピン５３３は支持アーム３０４の長孔３０４ａ内の下部側に配置され、第４移動体５４０の被支持ピン５４３は支持アーム３０５の長孔３０５ａ内の下部側に配置される。尚、支持アーム３０４，３０５は、被支持ピン５３３，５４３が配置されている側の端部が下方位置となるように傾斜されているので、第３移動体５３０及び第４移動体５４０を吊り下げるように支持し、第３移動体５３０及び第４移動体５４０が第２退避位置に戻る方向に移動されることを防ぐことができる。
【０１４２】
図１５（Ａ）に示すように、各移動体５１０，５２０，５３０，５４０が一体化したことで第２演出体５００が形成されると、その下方位置にある第１演出体４００が第１退避位置から第１進出位置に向かって上昇する。本実施例では、第１移動体５１０及び第２移動体５２０には、切欠部５１２ｄ，５２２ｄが形成されている。そして、第１移動体５１０と第２移動体５２０とが係合されると、これら切欠部５１２ｄ，５２２ｄが左右に連通し、切欠部５１２ｄ，５２２ｄ内に第１演出体４００の回転体４０３が配置可能となる。また、これら切欠部５１２ｄ，５２２ｄを介して後方側の演出表示装置５の表示画面の一部が視認可能となる。
【０１４３】
尚、第１演出体４００の可動体４０１が上昇されるときには、回転体４０３が回転する動作が同時に実行される。そして、第１演出体４００が上昇されると、第１演出体４００の当接部４０５，４０６の上面が第２演出体５００の各移動体５１０，５２０，５３０，５４０の被当接部５１２ｇ，５２２ｇ，５３２ｊ，５４２ｊの下面に当接される。
【０１４４】
ここで、第１演出体４００の当接部４０５，４０６の上面と、各移動体５１０，５２０，５３０，５４０の下端縁に設けられた被当接部５１２ｇ，５２２ｇ，５３２ｊ，５４２ｊの下面とは、互いに嵌合される（図２０（Ａ）及び図２０（Ｂ）参照）。更に、第１演出体４００の当接部４０５，４０６の背面と各移動体５１０，５２０，５３０，５４０の下端縁に設けられた被当接部５１２ｈ，５２２ｈ，５３２ｋ，５４２ｋとが互いに嵌合される。
【０１４５】
尚、本実施例では、各移動体５１０，５２０，５３０，５４０は、その下端縁から前方に突出された被当接部５１２ｇ，５２２ｇ，５３２ｊ，５４２ｊと、その下端縁から下方に突出された被当接部５１２ｈ，５２２ｈ，５３２ｋ，５４２ｋとで、側面視で略Ｌ字形状をなすように形成されている（図２０（Ａ）及び図２０（Ｂ）参照）。そのため、各被当接部５１２ｇ，５２２ｇ，５３２ｊ，５４２ｊ，５１２ｈ，５２２ｈ，５３２ｋ，５４２ｋに第１演出体４００の当接部４０５，４０６が嵌合されると、第２演出体５００の各移動体５１０，５２０，５３０，５４０がぐらつくことを防ぐことができ、ベース体４０２を昇降させるための垂直移動用モータ４１１の駆動力（上昇させる力）を安定して第２演出体５００に与えることができる。
【０１４６】
また、第１移動体５１０の第１可動板５１２及び第２移動体５２０の第２可動板５２２が、それぞれガイド棒５１２ｃ，５２２ｃにより上下方向に移動可能に案内されるとともに、第３移動体５３０の第３可動板５３２及び第４移動体５４０の第４可動板５４２が、それぞれガイド棒５３１ｃ，５４１ｃにより上下方向に移動可能に案内されることで、第２演出体５００を安定して上下方向（動作方向）に案内することができる。
【０１４７】
また、当接部４０５の左右幅寸法Ｌ２と当接部４０６の左右幅寸法Ｌ３との和が回転体４０３の直径Ｌ１よりも長寸となっており（図６参照）、この長寸となっている部分で、第１演出体４００が第２演出体５００に当接されるので、第１演出体４００は、第２演出体５００を下方から安定的に支持することができる。
【０１４８】
尚、第３移動体５３０における第３可動板５３２の左側下端部には、下方に向けて突出する係合片５３２ｅが設けられている。この係合片５３２ｅが第１演出体４００の当接部４０５の左端部に係合される。そのため、第３移動体５３０が左右方向にぐらつくことを防ぐことができる。
【０１４９】
図１５（Ｂ）に示すように、第１演出体４００の上昇に伴って第２演出体５００が下方から押し上げられる。そして、第１進出位置まで上昇されると、第１演出体４００及び第２演出体５００の上昇が停止される。尚、第１演出体４００及び第２演出体５００の上昇が停止される位置が、本実施例における特定演出が実行される演出位置（第１進出位置）となっている。
【０１５０】
このように本実施例では、第１演出体４００の上昇の途中において、この第１演出体４００が第２演出体５００に当接し、この当接状態が維持されることで、第２演出体５００が第１演出体４００と連動して上昇（動作）する。そのため、第１演出体４００のベース体４０２を昇降させるための垂直移動用モータ４１１により第２演出体５００を動作させる構造を簡素な構成で実現できる。例えば、第２演出体５００を動作させるためのリンク機構等の複雑な構造や、第２演出体５００を昇降させるモータ等を別途に設けずとも、第２演出体５００を動作させる構造を実現できる。更に、第１演出体４００の当接部４０５，４０６が、第２演出体５００の各被当接部５１２ｇ，５２２ｇ，５３２ｊ，５４２ｊ，５１２ｈ，５２２ｈ，５３２ｋ，５４２ｋに当接して第２演出体５００が動作されるので、恰も第１演出体４００が能動的に第２演出体５００を動作させているかのような演出を行うことができ、第２演出体５００の動作により遊技興趣を向上できる。
【０１５１】
また、第２演出体５００の各移動体５１０，５２０，５３０，５４０が、第１演出体４００から離間した位置である左右の第２退避位置から、第１演出体４００に近接した位置である中央の第２進出位置に移動した後に、第１演出体４００の可動体４０１が上昇されて第２演出体５００を下面に当接して持ち上げることで、第２演出体５００が第１演出体４００に近接した位置に移動されることと、第１演出体４００により第２演出体５００が動作されることの組合せにより、第２演出体５００を用いた演出を実行できるので、遊技興趣を向上できる。
【０１５２】
また、第１演出体４００の可動体４０１が上昇されるときに、可動体４０１が上昇する動作と回転体４０３が回転する動作とが同時に実行されることで、可動体４０１が上昇する動作と回転体４０３が回転する動作との組合せにより、第１演出体４００及び第２演出体５００を用いた多様な演出を実行できるので、遊技興趣を向上できる。
【０１５３】
また、第１演出体４００の上昇中には、演出表示装置５に所定画像（例えば、図１５の演出表示装置５に示す星型）を表示するようにする。また、この所定画像を一定位置に停止させておくことで、上昇中（動作中）である第１演出体４００及び第２演出体５００の比較対象となるので、第１演出体４００及び第２演出体５００が上昇されていることが分かり易くなる。また、この所定画像を第１演出体４００及び第２演出体５００の移動方向とは逆方向に移動させることで、第１演出体４００及び第２演出体５００が移動中であることを強調することができる。
【０１５４】
本実施例では、第１演出体４００が第１退避位置にあるときには、回転体４０３の半分以上の部位がセンター飾り枠５１により隠蔽される。そして、第１演出体４００が第１進出位置まで上昇されると、回転体４０３のほぼ半分の部位が露呈されるようになる。尚、第１演出体４００が、第１退避位置にあるとき、または第１進出位置にあるときのいずれの位置にあっても、第１演出体４００の可動体４０１は、センター飾り枠５１により隠蔽される。このように可動体４０１により第２演出体５００が持ち上げられたときに、第１演出体４００の当接部４０５，４０６がセンター飾り枠５１により隠蔽されているので、当接部４０５，４０６が演出効果を妨げることがない。
【０１５５】
尚、特定演出の実行を終了するときには、第１演出体４００が第１進出位置から第１退避位置まで降下する。この第１演出体４００の降下に伴って第２演出体５００が降下され、この降下の途中において第２演出体５００の降下が停止し、第１演出体４００の当接部４０５，４０６の上面と、各移動体５１０，５２０，５３０，５４０の被当接部５１２ｇ，５２２ｇ，５３２ｊ，５４２ｊの下面とが離間される。そして、第１演出体４００は、第１退避位置まで降下する。尚、第３移動体５３０及び第４移動体５４０が水平方向に移動して第２退避位置に戻り、その後、第１移動体５１０及び第２移動体５２０が水平方向に移動して第２退避位置に戻るようになっている。
【０１５６】
また、本実施例では、第１演出体４００が第２演出体５００を上昇させる演出を例示したが、第１演出体４００が第２演出体５００を上昇させる動作と降下させる動作を数回繰り返し実行する演出であっても良い。例えば、第２演出体５００が船の船首部分の形状を模した役物とし、第１演出体４００を波の形状を模した役物とし、上下動作を繰り返すことで、恰も船が波の上を進んでいるような演出が実行可能である。
【０１５７】
尚、本実施例では、第１移動体５１０及び第２移動体５２０が上端部から上方に延びて第１フレーム３０１により支持されるガイド棒５１２ｃ，５１２ｃ，５２２ｃ，５２２ｃを有しているので、第２進出位置に移動したときに第１移動体５１０及び第２移動体５２０が前後方向に揺動されることを防ぐことができる。
【０１５８】
一方、第３移動体５３０及び第４移動体５４０は、その上下方向の略中央位置に設けられた被支持ピン５３３，５４３が支持アーム３０４，３０５により支持されており、その上端部が自由端となっているので、第２進出位置に移動したときに第３移動体５３０及び第４移動体５４０が前方に倒れる方向に揺動してしまうおそれがある。そこで、本実施例では、第２進出位置に移動したときに第３移動体５３０及び第４移動体５４０が揺動されることを防止する揺動防止部４１８，６１６ａが設けられている。これら揺動防止部４１８，６１６ａについて図１６及び図１７を参照して説明する。
【０１５９】
図１６（Ａ）に示すように、第１演出体４００のベース体４０２の右上橋部には、第４移動体５４０の揺動を防止する揺動防止部４１８が設けられている。この揺動防止部４１８は、正面視で略円盤状をなす部材で構成されている。また、第４移動体５４０を支持する第４支持体５４１には、揺動防止部４１８に当接される突出片５４１ｉが前方に向かって突設されている。
【０１６０】
図１６（Ｂ）に示すように、第４移動体５４０が第２進出位置に移動したときに、第４支持体５４１の突出片５４１ｉの前端が揺動防止部４１８の背面に当接される。尚、第４移動体５４０が可動体４０１とともに上下移動されても、第４支持体５４１の突出片５４１ｉは、揺動防止部４１８に当接された状態が維持される。このように第４移動体５４０を支持している第４支持体５４１の前方への移動が揺動防止部４１８により規制されるので、第４移動体５４０の揺動を防止することができる。
【０１６１】
図１７（Ａ）に示すように、駆動部３１０における左側に設けられた水平移動用モータ６０５の右側近傍には、フォトセンサ６１７を配置するためのスペーサ６１６が設けられている。図１７（Ｂ）に示すように、スペーサ６１６は、平面視で四角形状をなし、このスペーサ６１６の背面における角部が後方に向かって突出され、この角部が揺動防止部６１６ａとなっている。
【０１６２】
そして、第３移動体５３０が第２進出位置に移動したときに、第３支持体５３１の正面側の一部がスペーサ６１６の揺動防止部６１６ａの背面に当接される。尚、第３移動体５３０が可動体４０１とともに上下移動されても、第３支持体５３１の正面側の一部は、揺動防止部６１６ａに当接された状態が維持される。このように第３移動体５３０を支持している第３支持体５３１の前方への移動が揺動防止部６１６ａにより規制されるので、第３移動体５３０の揺動を防止することができる。
【０１６３】
図１８及び図１９に示すように、第１移動体５１０及び第２移動体５２０には、切欠部５１２ｄ，５２２ｄが形成されており、第１移動体５１０と第２移動体５２０とが係合されると、互いに連通した切欠部５１２ｄ，５２２ｄに第１演出体４００の回転体４０３が配置される。つまり、第１演出体４００において、第２演出体５００の下端縁を支持するための当接部４０５，４０６よりも、回転体４０３が上方に突出するように配置することができる。そして、第１演出体４００の当接部４０５，４０６をセンター飾り枠５１により隠蔽した状態で、回転体４０３と第１移動体５１０と第２移動体５２０との両方を遊技者に視認させることができる。また、第１移動体５１０及び第２移動体５２０に切欠部５１２ｄ，５２２ｄが形成されていることで、回転体４０３と第１移動体５１０と第２移動体５２０との両方を遊技者に視認させた状態を維持しつつ、回転体４０３を回転駆動させる機構等を、回転体４０３の背面側に設けるスペースを確保することができる。
【０１６４】
以上、本発明の実施例を図面により説明してきたが、具体的な構成はこれら実施例に限られるものではなく、本発明の要旨を逸脱しない範囲における変更や追加があっても本発明に含まれる。
【０１６５】
例えば、前記実施例では、遊技機の一例としてパチンコ遊技機１を例示しているが、本発明はこれに限定されるものではなく、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。尚、これら封入式遊技機においては遊技球ではなく得点やポイントが遊技者に付与されるので、これら付与される得点やポイントが遊技価値に該当する。
【０１６６】
また、本実施例では、変動時間及びリーチ演出の種類等の変動態様を示す変動パターンを演出制御用ＣＰＵ１２０に通知するために、変動を開始するときに１つの変動パターン指定コマンドを送信する例を示したが、２つ乃至それ以上のコマンドにより変動パターンを演出制御用ＣＰＵ１２０に通知するようにしてもよい。具体的には、２つのコマンドにより通知する場合、ＣＰＵ１０３は、１つ目のコマンドでは、例えば、リーチとなる以前（リーチとならない場合には所謂第２停止の前）の変動時間や変動態様を示すコマンドを送信し、２つ目のコマンドではリーチの種類や再抽選演出の有無等、リーチとなった以降（リーチとならない場合には所謂第２停止の後）の変動時間や変動態様を示すコマンドを送信するようにしてもよい。この場合、演出制御用ＣＰＵ１２０は２つのコマンドの組合せから導かれる変動時間にもとづいて変動表示における演出制御を行うようにすればよい。
【０１６７】
尚、ＣＰＵ１０３の方では２つのコマンドのそれぞれにより変動時間を通知し、それぞれのタイミングで実行される具体的な変動態様については演出制御用ＣＰＵ１２０の方で選択を行うようにしてもよい。２つのコマンドを送る場合、同一のタイマ割込内で２つのコマンドを送信するようにしてもよく、１つ目のコマンドを送信した後、所定期間が経過してから（例えば次のタイマ割込において）２つ目のコマンドを送信するようにしてもよい。尚、それぞれのコマンドで示される変動態様はこの例に限定されるわけではなく、送信する順序についても適宜変更可能である。このように２つ乃至それ以上のコマンドにより変動パターンを通知する様にすることで、変動パターン指定コマンドとして記憶しておかなければならないデータ量を削減することができる。
【０１６８】
また、前記実施例では、遊技球を打球発射装置により遊技領域よりも下方から打ち出す形態を例示したが、本発明はこれに限定されるものではなく、例えば、前記打球発射装置をパチンコ遊技機１における遊技領域の上方位置に設けることによって、遊技球を遊技領域の上方位置から打ち出すようにしても良い。
【０１６９】
また、前記実施例では、大当り遊技において大入賞口の開放を実施することで多くの遊技球を獲得できる大当りのみを発生させる形態を例示しているが、本発明はこれに限定されるものではなく、例えば、確変大当りＢを、ラウンド遊技における大入賞口の開放時間を著しく短くして、大入賞口が開放したことを遊技者に認識されないようにして、該確変大当りＢの発生により、突然に確変状態となったように見せる突確大当りとしても良い。尚、これら確変大当りＢを突確大当りとする場合には、該確変大当りＢの大当り遊技における大入賞口の開放パターンと同一の開放パターンにて大入賞口を開放する小当りを設けるようにして、確変大当りＢや小当りの発生後の遊技状態が、高確状態であるのか、或いは低確状態にあるのかが不明な状態（いわゆる潜伏状態）が発生するようにしても良い。
【０１７０】
また、前記実施例では、始動入賞口を、第１始動入賞口と第２始動入賞口の２つとした形態を例示しているが、本発明はこれに限定されるものではなく、始動入賞口を１つのみとしても良いし、始動入賞口を３以上としても良い。
【０１７１】
また、前記実施例では、特別図柄を、第１特図と第２特図の２つとした形態を例示しているが、本発明はこれに限定されるものではなく、特別図柄を１つのみとしても良いし、特別図柄を３以上としても良い。
【０１７２】
また、前記実施例では、第１特別図柄表示器４Ａと第２特別図柄表示器４Ｂはそれぞれ変動表示結果となる最終停止図柄を含む複数種類の特別図柄を変動表示した後に、最終停止図柄を停止表示するようになっているが、本発明はこれに限定されるものではなく、変動表示結果となる最終停止図柄を含めずに複数種類の特別図柄を変動表示した後に、最終停止図柄を停止表示するものであっても良い。つまり、変動表示結果となる最終停止図柄は、変動表示に用いられる特別図柄と異なる図柄であっても良い。
【０１７３】
前記遊技者にとって有利な状態とは、遊技者が多くの遊技媒体を獲得できる遊技者にとって有利な特定遊技状態（大当り等）や、獲得できる遊技媒体の期待値が異なる複数種類の特定遊技状態（ラウンド数が異なる大当り等）や、通常遊技状態よりも賞球払出の条件が成立しやすくなる高ベース状態（時短状態）や、前記特定遊技状態となる確率が高い高確率遊技状態（高確率状態）や高確低ベース状態（潜伏確変状態）、特別リーチ状態（例えば、スーパーリーチ等）、当該変動パターンが大当り変動パターンにもとづく変動パターンである状態等が含まれる。
【０１７４】
また、前記実施例では、遊技機の一例としてパチンコ遊技機が適用されていたが、例えば遊技用価値を用いて１ゲームに対して所定数の賭数を設定することによりゲームが開始可能となるとともに、各々が識別可能な複数種類の図柄を変動表示可能な演出表示装置に変動表示結果が導出されることにより１ゲームが終了し、該演出表示装置に導出された変動表示結果に応じて入賞が発生可能とされたスロットマシンにも適用可能である。
【０１７５】
また、前記実施例では、第１演出体４００の動作中に該第１演出体４００と第２演出体５００とを当接させることで、第２演出体５００を上方に移動させる形態を例示したが、本発明はこれに限定されるものではなく、第１演出体４００の動作中に該第１演出体４００と第２演出体５００とを当接させることで、第２演出体５００を左側方や右側方や下方や前方や後方に向けて移動させるものであっても良い。また、第１演出体４００の動作中に該第１演出体４００と第２演出体５００とを当接させることで、第２演出体５００が回転するものであっても良い。
【０１７６】
また、前記実施例では、第２演出体５００を構成する各移動体５１０，５２０，５３０，５４０を第２退避位置から第２進出位置に向けて移動させる形態を例示したが、本発明はこれに限定されるものではなく、少なくともいずれか１の移動体を該第２退避位置とは異なる退避位置、つまり他の移動体とは異なる位置に配置しておき、その位置から第２進出位置に向けて移動させるようにしても良い。また、少なくともいずれか１の移動体を、他の移動体とは異なる方向に移動させても良く、他の移動体は水平方向に移動されるが、１の移動体は上下方向に移動されるものでも良い。
【０１７７】
また、前記実施例では、第１演出体４００に回転体４０３を設け、第２演出体５００を上下動させる際に回転体４０３を回転させる形態を例示したが、本発明はこれに限定されるものではなく、第１演出体４００には回転体４０３を設けないようにしても良いし、第２演出体５００を上下動させる際に回転体４０３を回転させないようにしても良い。
【０１７８】
また、前記実施例では、第２演出体５００を左右にそれぞれ２個ずつの、合計４個の移動体５１０，５２０，５３０，５４０によって構成する形態を例示したが、本発明はこれに限定されるものではなく、第２演出体を１個の移動体のみで構成したり、２個や３個または５個以上の移動体により第２演出体を構成するようにしても良い。
【０１７９】
また、前記実施例では、第１演出体４００が第１退避位置に配置されている場合は、センター飾り枠５１によって回転体４０３の半分以上の部分を隠蔽する形態を例示したが、本発明はこれに限定されるものではなく、第１演出体４００が第１退避位置に配置されている場合には、センター飾り枠５１によって回転体４０３の全体を隠蔽するようにしても良く、更に第１演出体４００が第１進出位置に移動した場合は、回転体４０３の少なくとも一部が露呈するようにしても良い。
【０１８０】
また、前記実施例では、当接部４０５の左右幅寸法Ｌ２と当接部４０６の左右幅寸法Ｌ３との和を回転体４０３の直径Ｌ１よりも長寸となるように当接部４０５，４０６を形成する形態を例示したが、本発明はこれに限定されるものではなく、当接部４０５の左右幅寸法Ｌ２と当接部４０６の左右幅寸法Ｌ３との和は回転体の直径Ｌ１よりも短寸であっても良い。
【０１８１】
また、前記実施例では、当接部４０５の左右幅寸法Ｌ２と当接部４０６の左右幅寸法Ｌ３との和を回転体４０３の直径Ｌ１よりも長寸となるように当接部４０５，４０６を形成する形態を例示したが、本発明はこれに限定されるものではなく、当接部４０５の左右幅寸法Ｌ２と当接部４０６の左右幅寸法Ｌ３とは、少なくとも一方が回転体４０３の直径Ｌ１より長寸であっても良い。
【０１８２】
また、前記実施例では、特定演出において第１演出体４００と第２演出体５００との両方を動作させる形態を例示したが、本発明はこれに限定されるものではなく、特定演出としては、第１演出体４００と第２演出体５００との一方のみが動作する場合を設けても良い。また、第１演出体４００と第２演出体５００との一方のみが動作する場合と、両方が動作する場合との２つの演出パターンがあるようにしても良い。
【０１８３】
また、前記実施例では、磁石部材が金属部材に対して磁力により吸着される力を用いて、第１移動体５１０及び第２移動体５２０の係合状態が維持され、第３移動体５３０及び第１移動体５１０の係合状態が維持され、第４移動体５４０及び第２移動体５２０の係合状態が維持されるようにしているが、本発明はこれに限定されるものではなく、磁石部材等を用いずに、各移動体の端部同士を互いに係合される形状にし、これら移動体の係合状態が維持されても良い。特に、各移動体の端部同士は、左右方向には係合状態が解除され易く、上下方向（演出位置に向かう方向）には係合状態が解除され難い形状にすると良い。
【０１８４】
また、前記実施例では、第１演出体４００の上昇の途中において、この第１演出体４００が第２演出体５００に当接し、この当接状態が維持されることで、第２演出体５００が第１演出体４００と連動して上昇（動作）するようにしているが、本発明はこれに限定されるものではなく、第１演出体４００が上昇し、この上昇が停止する直前に、第１演出体４００が第２演出体５００に瞬間的に当接（激突）し、第１演出体４００の上昇は停止されるが、第２演出体５００が勢いよく上昇するものであっても良い。また、第１演出体４００を上昇させるエネルギーが第２演出体５００の荷重により消費されるものであっても良く、例えば、第１演出体４００が有する運動エネルギーが瞬間的に第２演出体５００に伝達され、第１演出体４００が停止されるとともに第２演出体５００の移動が開始されるものであっても良い。
【符号の説明】
【０１８５】
１                パチンコ遊技機
４Ａ              第１特別図柄表示器
４Ｂ              第２特別図柄表示器
５                演出表示装置
１００            遊技制御用マイクロコンピュータ
１２０            演出制御用ＣＰＵ
【図１】
2018064814.tif 000003
【図２】
2018064814.tif 000004
【図３】
2018064814.tif 000005
【図４】
2018064814.tif 000006
【図５】
2018064814.tif 000007
【図６】
2018064814.tif 000008
【図７】
2018064814.tif 000009
【図８】
2018064814.tif 000010
【図９】
2018064814.tif 000011
【図１０】
2018064814.tif 000012
【図１１】
2018064814.tif 000013
【図１２】
2018064814.tif 000014
【図１３】
2018064814.tif 000015
【図１４】
2018064814.tif 000016
【図１５】
2018064814.tif 000017
【図１６】
2018064814.tif 000018
【図１７】
2018064814.tif 000019
【図１８】
2018064814.tif 000020
【図１９】
2018064814.tif 000021
【図２０】
2018064814.tif 000022